(57)【要約】      （修正有）【課題】音インパルスによって引き起こされる不快感を軽減するバイノーラル聴力器具システムを提供する。【解決手段】バイノーラル補聴器システム１は、ユーザの左耳の難聴を補償するように構成された第１補聴器１０と、ユーザの右耳の難聴を補償するように構成された第２補聴器１０’とを有する。特徴抽出部３０、３０’は、それぞれのオーディオ信号１４、１８、１４’、１８’の中のインパルスの存在を検出するインパルス検出器を備え、環境分類部３２、３２’によってインパルス環境を決定する。インパルス環境の決定に応答して、パラメータマップ３４、３４’が、信号処理パラメータ２８、２８’を出力する。信号プロセッサ２０、２０’は、信号処理パラメータ２８、２８’に応答し、ゲイン調節、アタック時間調節、リリース時間調節などの音インパルス抑制部により、インパルス環境の不快感を軽減する。【選択図】図３
2018137734.tif 000002
【特許請求の範囲】
【請求項１】
バイノーラル聴力器具システムであって、
第１聴力器具と第２聴力器具とを備えるバイノーラル聴力器具であって、前記第１聴力器具および前記第２聴力器具のそれぞれが、
少なくとも１つのマイクロフォンであって、音環境の中の前記少なくとも１つのマイクロフォンで受信した音に応答してオーディオ信号を与えるための少なくとも１つのマイクロフォンと、
処理済オーディオ信号を生成するために、あらかじめ決められた信号処理アルゴリズムに従って前記オーディオ信号を処理するように構成される信号プロセッサと、
前記オーディオ信号中のインパルスの存在を検出し、いつインパルスが検出されたかを示すインパルス検出信号を出力するように構成される音インパルス検出器と、
前記処理済オーディオ信号を、前記バイノーラル聴力器具システムのユーザの鼓膜に向けて発する出力音信号に変換するために、前記信号プロセッサの出力に接続されるレシーバと、を備える、バイノーラル聴力器具と、
前記第１聴力器具の前記音インパルス検出器の前記インパルス検出信号と、前記第２聴力器具の前記音インパルス検出器の前記インパルス検出信号とに基づき、前記バイノーラル聴力器具システムの前記ユーザの周囲のインパルス環境の存在をバイノーラルで決定するためのバイノーラルインパルス環境検出器と、を備える、バイノーラル聴力器具システム。
【請求項２】
前記バイノーラルインパルス環境検出器は、前記バイノーラル聴力器具システムの前記第１聴力器具および前記第２聴力器具が、前記オーディオ信号の連携した処理を行うように、前記第１聴力器具および前記第２聴力器具のそれぞれの前記信号プロセッサの信号処理アルゴリズムを選択するために、前記第１聴力器具および前記第２聴力器具それぞれについて出力を与えるように構成されている、請求項１に記載のバイノーラル聴力器具システム。
【請求項３】
前記バイノーラル聴力器具システムの前記第１聴力器具および前記第２聴力器具が連携した音処理を行うように、前記第１聴力器具および前記第２聴力器具のそれぞれの前記信号プロセッサの前記信号処理アルゴリズムを選択するために前記第１聴力器具および前記第２聴力器具それぞれについて出力を与えるために、前記第１聴力器具からの少なくとも１つの信号と前記第２聴力器具からの少なくとも１つの信号とに基づき、前記バイノーラル聴力器具システムの前記ユーザの周囲の音環境をバイノーラルで決定するためのバイノーラル音環境検出器を備えている、請求項２に記載のバイノーラル聴力器具システム。
【請求項４】
前記バイノーラル音環境検出器は、前記バイノーラルインパルス環境検出器を備えている、請求項３に記載のバイノーラル聴力器具システム。
【請求項５】
前記第１聴力器具および前記第２聴力器具のそれぞれの前記信号プロセッサは、前記第１聴力器具および前記第２聴力器具のそれぞれ１つの前記音インパルス検出器による前記インパルスの検出に応答した信号処理パラメータの調節によって前記インパルスを軽減するように構成された音インパルス抑制部を備えている、請求項１〜４のいずれか一項に記載のバイノーラル聴力器具システム。
【請求項６】
前記音インパルス抑制部の信号処理パラメータの調節は、ユーザ入力に従って調節可能である、請求項５に記載のバイノーラル聴力器具システム。
【請求項７】
前記第１聴力器具および前記第２聴力器具のそれぞれの前記音インパルス検出器は、前記オーディオ信号を複数の周波数帯に分割し、周波数に分割されたオーディオ信号に基づき、前記オーディオ信号中のインパルスの存在を検出するように構成されている、請求項１〜６のいずれか一項に記載のバイノーラル聴力器具システム。
【請求項８】
前記第１聴力器具および前記第２聴力器具のそれぞれの前記音インパルス検出器の信号処理パラメータは、ユーザ入力に従って調節可能である、請求項１〜７のいずれか一項に記載のバイノーラル聴力器具システム。
【請求項９】
前記第１聴力器具および前記第２聴力器具のそれぞれの前記音インパルス検出器および前記音インパルス抑制部のうちの少なくとも１つは、前記バイノーラル音環境検出器によって決定される音環境分類に従って調節可能である、請求項３〜８のいずれか一項に記載のバイノーラル聴力器具システム。
【請求項１０】
前記第１聴力器具および前記第２聴力器具はそれぞれ、前記ユーザの難聴を補償する難聴補償済オーディオ信号を生成するために、あらかじめ決められた信号処理アルゴリズムに従って前記オーディオ信号を処理するように構成された難聴処理装置を備える補聴器である、請求項１〜９のいずれか一項に記載のバイノーラル聴力器具システム。
【請求項１１】
前記第１聴力器具及び前記第２聴力器具のそれぞれの前記難聴処理装置は、ダイナミックレンジの消失を含む難聴を補償するように構成されるダイナミックレンジコンプレッサを備えている、請求項１０に記載のバイノーラル聴力器具システム。
【請求項１２】
前記第１聴力器具及び前記第２聴力器具のそれぞれの前記音インパルス抑制部は、前記第１聴力器具及び前記第２聴力器具のそれぞれの難聴処理装置のゲイン設定に基づき、ゲイン調節を行うように構成されている、請求項１０または１１に記載のバイノーラル聴力器具システム。
【請求項１３】
前記第１聴力器具および前記第２聴力器具はそれぞれ、音を抑えるように構成されたパッシブダンプナーをさらに備える聴力保護具である、請求項１〜１２のいずれか一項に記載のバイノーラル聴力器具システム。
【請求項１４】
バイノーラル信号処理の方法であって、
人間の両耳で音をオーディオ信号に変換する工程と、
それぞれのオーディオ信号に基づき、それぞれのオーディオ信号中のインパルスの存在を検出する工程と、
両オーディオ信号中の検出された前記インパルスの存在に応答して、それぞれのオーディオ信号を処理済オーディオ信号に処理する工程と、
それぞれの前記処理済信号を出力音信号に変換する工程と、
それぞれの出力音信号を人間の両耳の鼓膜に向けて発する工程と、を備える、方法。
【請求項１５】
両オーディオ信号中の検出された前記インパルスの存在に応答して、前記処理済オーディオ信号のゲインを下げる工程を備える、請求項１４に記載の方法。
【発明の詳細な説明】
【技術分野】
【０００１】
バイノーラルインパルス環境検出器を備える新規聴力器具が提供される。
【背景技術】
【０００２】
聴音装置の使用および聴力保護の使用のために、インパルス環境である音響環境を検出し、分類することが必要とされている。インパルス環境は、持続時間が短く、エネルギーが高く、立ち上がり時間が非常に短い音が、時間経過とともに何度も発生する音響環境である。インパルス環境は、例えば、火器を用いた軍事訓練セッションの間、またはカトラリーからのノイズを伴う食堂の訪問中に経験するだろう。
【０００３】
インパルス環境において、聴力保護デバイス、補聴器、ヘッドセットなどのユーザは、典型的には、不快感を経験する。
【発明の概要】
【発明が解決しようとする課題】
【０００４】
ユーザのデバイスを自動的に調節し、快適さ、発話の明瞭さなどを最大にすることができるように、インパルス環境の存在を信頼性高く検出することが必要とされている。
【課題を解決するための手段】
【０００５】
音インパルスによって引き起こされる不快感を軽減する新規なバイノーラル聴力器具システムおよびバイノーラル信号を処理する新規方法が提供される。音インパルスは、短い時間（例えば、ミリ秒程度、例えば、１０ミリ秒より短い時間）中に高い音圧を示す音である。音インパルスは、時間経過に伴って、ある周波数で人間の両耳で音インパルスが発生する音環境であるインパルス環境で、起こる場合がある。
【０００６】
新規なバイノーラル信号処理の方法は、
人間の両耳で音をオーディオ信号に変換する工程と、
それぞれのオーディオ信号に基づき、それぞれのオーディオ信号中のインパルスの存在を検出する工程と、
両オーディオ信号中の検出されたインパルスの存在に応答して、それぞれのオーディオ信号を処理済オーディオ信号に処理する工程と、
それぞれの処理済信号を出力音信号に変換する工程と、
それぞれの出力音信号を人間の両耳の鼓膜に向けて発する工程と、を備える。
【０００７】
この方法は、それぞれのオーディオ信号を複数の周波数帯に分割する工程をさらに含んでいてもよく、インパルスの存在を検出する工程は、周波数帯に分割されたオーディオ信号に基づき、それぞれのオーディオ信号中のインパルスの存在を検出することを含んでいてもよい。
【０００８】
周波数帯は、ワープ処理された周波数帯またはワープ処理されていない周波数帯であってもよい。
【０００９】
オーディオ信号を複数の周波数帯に分割する工程は、オーディオ信号に対して周波数変換を行うことを含んでいてもよく、オーディオ信号中のインパルスの存在を検出する工程は、周波数領域で行われてもよい。
【００１０】
周波数変換は、ワープ処理された周波数変換であってもよい。
【００１１】
周波数変換は、ワープ処理されたフーリエ変換、ワープ処理された離散フーリエ変換、ワープ処理された高速フーリエ変換などであってもよい。
【００１２】
ワープ処理された周波数帯は、人間の耳のバーク周波数尺度に対応していてもよい。
【００１３】
周波数変換は、ワープ処理されていない周波数変換であってもよい。
【００１４】
周波数変換は、フーリエ変換、例えば、離散フーリエ変換、高速フーリエ変換などであってもよい。
【００１５】
新規なバイノーラル聴力器具システムは、第１聴力器具と第２聴力器具とを備えるバイノーラル聴力器具であって、第１聴力器具および第２聴力器具のそれぞれが、
少なくとも１つのマイクロフォンであって、音環境の中の少なくとも１つのマイクロフォンで受信した音に応答してオーディオ信号を与えるための少なくとも１つのマイクロフォンと、
処理済オーディオ信号を生成するために、あらかじめ決められた信号処理アルゴリズムに従ってオーディオ信号を処理するように構成される信号プロセッサと、
オーディオ信号中のインパルスの存在を検出し、いつインパルスが検出されたかを示すインパルス検出信号を出力するように構成される音インパルス検出器と、
処理済オーディオ信号を、ユーザの鼓膜に向けて発する出力音信号に変換するために、信号プロセッサの出力に接続されるレシーバと、を備えるバイノーラル聴力器具と、
第１聴力器具の音インパルス検出器のインパルス検出信号と、第２聴力器具の音インパルス検出器のインパルス検出信号とに基づき、バイノーラル聴力器具システムのユーザの周囲のインパルス環境の存在をバイノーラルで決定するためのバイノーラルインパルス環境検出器と、を備えている。
【００１６】
バイノーラルインパルス環境検出器は、第１聴力器具の音インパルス検出器のインパルス検出信号と、第２聴力器具の音インパルス検出器のインパルス検出信号とが、時間経過に伴って、ある周波数で、ユーザの両耳での音インパルスの存在をバイノーラルに（すなわち、同時に）検出するとき、バイノーラル聴力器具システムのユーザの周囲のインパルス環境の存在を決定するように構成されている。
【００１７】
（信号処理）
第１聴力器具および第２聴力器具はそれぞれ、聴力器具の意図した用途に適した様式で聴力器具によって受信される音を処理するように構成された信号プロセッサを備えている。例えば、補聴器において、信号プロセッサは、ユーザの難聴を補償するように構成される。当該技術分野でよく知られているように、信号プロセッサの処理は、行われる実際の信号処理を調節するための種々のパラメータを有する信号処理アルゴリズムによって制御される。マルチチャンネル補聴器のそれぞれの周波数チャンネルにおけるゲインは、このようなパラメータの例である。
【００１８】
多くは、信号プロセッサの柔軟性を利用し、複数の異なるアルゴリズムおよび／または特定のアルゴリズムの複数のパラメータセットを与える。例えば、種々のアルゴリズムは、ノイズ抑制、すなわち、望ましくない信号の軽減および望ましい信号の増幅のために与えられてもよい。望ましい信号は、通常、発話または音楽であり、望ましくない信号は、バックグラウンドとなる発話、レストランの騒々しさ、音楽（発話が望ましい信号である場合）、交通騒音などであってもよい。
【００１９】
異なるアルゴリズムまたはパラメータセットは、典型的には、異なる音環境（例えば、発話、意味のわからない発話、レストランの騒々しさ、音楽、交通騒音など）で、快適で明瞭な再生された音を与えるために含まれる。異なる音環境から得られたオーディオ信号は、例えば、平均および最大の音圧レベル（ＳＰＬ）および／または周波数成分のような非常に異なる特徴を有している場合がある。したがって、第１聴力器具および第２聴力器具それぞれにおいて、種々の音環境は、信号処理アルゴリズムのアルゴリズムパラメータの特定の設定が、特定の音環境における最適な信号品質の処理済音を与えるような、特定のそれぞれのプログラムと関連していてもよい。このようなパラメータセットは、典型的には、広帯域ゲイン、コーナー周波数または周波数選択的なフィルタアルゴリズムの勾配、およびパラメータ制御、例えば、自動利得制御（ＡＧＣ）アルゴリズムのニーポイントおよび圧縮比に関連するパラメータを含んでいてもよい。
【００２０】
結果として、第１聴力器具および第２聴力器具の信号プロセッサは、多くの異なるプログラムと共に与えられてもよく、それぞれのプログラムは、特定の音環境または音環境カテゴリーおよび／または特定のユーザの好みに合うように調整される。
【００２１】
補聴器において、これらのプログラムそれぞれの信号処理の特徴は、典型的には、ディスペンサーのオフィスにおいて初期のフィッティングセッション中に決定され、補聴器の不揮発メモリ領域で、対応するアルゴリズムおよびアルゴリズムパラメータをアクティブ化すること、および／または対応するアルゴリズムおよびアルゴリズムパラメータを不揮発性メモリ領域に送信することによって、補聴器の中でプログラミングされる。
【００２２】
第１聴力器具および第２聴力器具のそれぞれ、またはいずれか１つにおいて、信号プロセッサは、オーディオ信号を複数のワープ処理されていない周波数帯に分割し、例えば、フィルタバンク（例えば、線形位相フィルタを有するフィルタバンク）を利用するように構成されてもよい。
【００２３】
第１聴力器具および第２聴力器具のそれぞれ、またはいずれか１つにおいて、信号プロセッサは、オーディオ信号を複数のワープ処理された周波数帯に分割し、例えば、ワープ処理されたフィルタを有するフィルタバンクを利用するように構成されてもよい。
【００２４】
第１聴力器具および第２聴力器具のそれぞれ、またはいずれか１つにおいて、信号プロセッサは、オーディオ信号に対して周波数変換（例えば、フーリエ変換、例えば、離散フーリエ変換、高速フーリエ変換など、またはワープ処理されたフーリエ変換、ワープ処理された離散フーリエ変換、ワープ処理された高速フーリエ変換など）を行うことによって、オーディオ信号を複数の周波数帯に分割するように構成されてもよい。
【００２５】
第１聴力器具および第２聴力器具のそれぞれの信号プロセッサのワープ処理された周波数帯は、人間の耳のバーク周波数尺度に対応していてもよい。
【００２６】
新規なバイノーラル聴力器具システムの信号処理は、専用のハードウェアによって行われてもよく、または１つ以上の信号プロセッサで行われてもよく、または専用のハードウェアと１つ以上の信号プロセッサとの組み合わせで行われてもよい。
【００２７】
バイノーラル聴力器具システムによって行われる信号処理は、例えば、第１聴力器具および第２聴力器具の１つの筐体内に配置されているか、またはバイノーラル聴力器具システムまたは別のデバイス、例えば、携帯用デバイス、例えば、スマートフォン、リモートコントロールなどの別の筐体内に配置されている、１つの共通の信号プロセッサによって行われてもよい。
【００２８】
信号処理は、複数の信号プロセッサによって行われてもよく、それぞれの信号プロセッサ、またはその一部は、第１聴力器具および第２聴力器具の１つの筐体内に配置されていてもよく、またはバイノーラル聴力器具システムまたは別のデバイス、例えば、携帯用デバイス、例えば、スマートフォン、リモートコントロールなどの別の筐体内に配置されていてもよい。
【００２９】
例えば、第１補聴器および第２補聴器はそれぞれ、オーディオ信号を、ユーザの難聴を補償し、ユーザの鼓膜に向かって発するための音信号に変換するためにレシーバに与えられる難聴補償済オーディオ信号に処理するように構成された難聴処理装置を収容する筐体を有していてもよく、一方、バイノーラルインパルス環境検出器は、第１聴力器具および第２聴力器具と無線通信するスマートフォンの中に配置されていてもよい。
【００３０】
本明細書で使用される場合、「プロセッサ」、「中央処理装置」、「難聴処理装置」、「信号プロセッサ」、「コントローラ」、「システム」などの用語は、ＣＰＵに関連するエンティティ、ハードウェア、ハードウェアとソフトウェアの組み合わせ、ソフトウェア、実行時のソフトウェアのいずれかを指すことを意図している。
【００３１】
例えば、「プロセッサ」、「信号プロセッサ」、「コントローラ」、「システム」などは、限定されないが、プロセッサで実行するプロセス、プロセッサ、オブジェクト、実行可能なファイル、実行のスレッドおよび／またはプログラムであってもよい。
【００３２】
実例として、「プロセッサ」、「中央処理装置」、「難聴処理装置」、「信号プロセッサ」、「コントローラ」、「システム」などの用語は、プロセッサで動くアプリケーションおよびハードウェアプロセッサの両方を示す。１つ以上の「プロセッサ」、「中央処理装置」、「難聴処理装置」、「信号プロセッサ」、「コントローラ」、「システム」など、またはこれらの任意の組み合わせは、プロセスおよび／または実行のスレッドの中に存在していてもよく、１つ以上の「プロセッサ」、「中央処理装置」、「難聴処理装置」、「信号プロセッサ」、「コントローラ」、「システム」など、またはこれらの任意の組み合わせは、可能ならば他のハードウェア回路と組み合わせて、１つのハードウェアプロセッサに集中していてもよく、および／または可能ならば他のハードウェア回路と組み合わせて、２つ以上のハードウェアプロセッサに分配されていてもよい。
【００３３】
また、信号プロセッサ（または同様の用語）は、信号処理を行うことができる任意の構成要素または構成要素の任意の組み合わせであってもよい。例えば、信号プロセッサは、ＡＳＩＣプロセッサ、ＦＰＧＡプロセッサ、汎用プロセッサ、マイクロプロセッサ、回路構成要素または集積回路であってもよい。
【００３４】
（バイノーラルインパルス環境検出器）
バイノーラルインパルス環境検出器を用いると、インパルスの片方の耳での発生（すなわち、例えば、風によるノイズ、ユーザのボタン操作、ヘルメットを引っ掻くなどによって生じる、ユーザの耳の片方に到達するが、ユーザの他方の耳には到達しない音インパルス）と、音インパルスが、バイノーラルに到達し、ユーザの両耳で、それぞれの耳に到達するそれぞれの音インパルスのパラメータ（例えば、持続時間、エネルギー、立ち上がり時間、立ち下がり時間、周波数の発生など）が類似する、ユーザの周囲のインパルス環境で発生する、両方の耳での、バイノーラルな音インパルスと、を区別することができる。
【００３５】
バイノーラルインパルス環境検出器は、第１聴力器具の音インパルス検出器のインパルス検出信号と、第２聴力器具の音インパルス検出器のインパルス検出信号とが、時間経過に伴って、ある周波数で、ユーザの両耳での音インパルスの存在をバイノーラルに（すなわち、同時に）検出するとき、バイノーラル聴力器具システムのユーザの周囲のインパルス環境の存在を決定するように構成されている。
【００３６】
バイノーラルインパルス環境検出器は、バイノーラル聴力器具システムの聴力器具がオーディオ信号の連携した処理を行うように、第１聴力器具および第２聴力器具のそれぞれの信号プロセッサの信号処理アルゴリズムを選択するために、第１聴力器具および第２聴力器具それぞれについて出力を与えるように構成されていてもよい。例えば、バイノーラルインパルス環境検出器が、インパルス環境の存在を決定したら、音インパルスは、第１聴力器具および第２聴力器具における連携した信号処理パラメータの調節、例えば、ゲイン調節、アタック時間の調節、リリース時間の調節などによって、ユーザの方向感覚に影響を与えることなく、軽減されてもよい。
【００３７】
ユーザのそれぞれの耳に取り付けられた第１聴力器具および第２聴力器具の内部で独立して動作するモノラルのインパルス環境検出器を用いると、音インパルスの片方の耳での発生が起こると（例えば、ユーザがプッシュボタンを押す）、ゲインまたは時定数の調節が、ユーザの片方の耳で行われるが、もう片方では行われず、オーディオ信号に含まれる空間的な手がかりのゆがみに起因して、空間的な性能が落ちる。
【００３８】
（バイノーラル音環境検出器）
バイノーラル聴力器具システムは、バイノーラル聴力器具システムの第１聴力器具および第２聴力器具が連携した音処理を行うように、第１聴力器具および第２聴力器具のそれぞれの信号プロセッサの信号処理アルゴリズムを選択するために第１聴力器具および第２聴力器具それぞれについて出力を与えるために、第１聴力器具からの少なくとも１つの信号と、第２聴力器具からの少なくとも１つの信号とに基づき、バイノーラル聴力器具システムのユーザの周囲の音環境をバイノーラルで決定するためのバイノーラル音環境検出器も備えていてもよい。
【００３９】
バイノーラル音環境検出器は、バイノーラルインパルス環境検出器を含んでいてもよい。
【００４０】
バイノーラル音環境検出器は、音環境を、発話、意味のわからない発話、音楽、交通騒音、インパルス環境、例えば、レストランの騒々しさなどのあらかじめ決められた音環境分類のセットに分類するように構成されてもよい。
【００４１】
得られた分類結果は、聴力器具の信号処理特徴を自動的に選択するために、例えば、問題となる環境のための最も適した信号処理アルゴリズムに自動的に切り替えるために、第１聴力器具および第２聴力器具で利用されてもよい。
【００４２】
第１聴力器具および第２聴力器具で利用可能な異なる信号処理アルゴリズムが、信号特徴を顕著に変える事があり得る。しかし、音特徴は、ユーザの２つの耳で顕著に異なることがあり、そのため、ユーザのそれぞれの耳での音環境の個々の決定が異なることがあり、ユーザのそれぞれの耳のための音に望ましくない異なる信号処理が導かれる場合がある。このことは、（すなわち、ユーザの両耳で得られる信号に基づき）バイノーラルに音環境を決定するバイノーラル音環境検出器を用いると避けられ、これにより、バイノーラル聴力器具システムが、種々の音環境にいるバイノーラル聴力器具のユーザに対し、最適な音質（例えば、発話の明瞭さ）を与えることができるように、それぞれの聴力器具は、音環境の共通の決定に応答して音を処理する。
【００４３】
また、バイノーラル音環境の検出は、両耳からの信号が考慮されるため、モノラルの検出よりも正確である。
【００４４】
（音インパルス抑制部）
第１聴力器具および第２聴力器具のそれぞれ、またはいずれか１つにおいて、信号プロセッサは、音インパルス検出器によるインパルスの検出に応答した信号処理パラメータの調節、例えば、ゲイン調節、アタック時間の調節、リリース時間の調節などによって、インパルスを軽減するように構成された音インパルス抑制部を備えていてもよい。
【００４５】
例えば、音インパルスのない音環境において、第１聴力器具および第２聴力器具の信号プロセッサは、音環境が、音インパルスが発生する音環境に変わり、第１聴力器具および第２聴力器具の信号プロセッサを制御し、インパルス環境における最適化信号処理のための別の信号処理アルゴリズムに従って動作することをバイノーラルインパルス環境検出器が決定し、その結果、バイノーラル聴力器具システムの聴力器具が、オーディオ信号の連携したプロセスを行うまで、それぞれの音インパルス検出器によって検出された音インパルスを迅速に、好ましくは即時に抑制するために、音インパルス抑制部がモノラルに動作し、すなわち、ユーザの他の耳に受信した音とは独立して動作する信号処理アルゴリズムに従って動作してもよい。例えば、音インパルスは、第１聴力器具および第２聴力器具における連携した信号処理パラメータの調節、例えば、ゲイン調節、アタック時間の調節、リリース時間の調節などによって、ユーザの方向感覚に影響を与えることなく、軽減されてもよい。選択された信号処理アルゴリズムは、例えば、第１聴力器具および第２聴力器具の音インパルス抑制部を制御し、処理済オーディオ信号に含まれる空間的な手がかりのゆがみを避けるのと同じ量だけ、第１聴力器具および第２聴力器具の信号プロセッサの得られるゲインを下げてもよく、それによって、ユーザは、方向感覚を維持することができる。
【００４６】
第１聴力器具および第２聴力器具のそれぞれ、またはいずれか１つにおいて、音インパルス抑制部は、信号プロセッサの複数の周波数帯において同じ量でゲインを減らすように構成されていてもよい。
【００４７】
第１聴力器具および第２聴力器具のそれぞれ、またはいずれか１つにおいて、音インパルス抑制部は、信号プロセッサの複数の周波数帯においてゲインを個々に減らすように構成されてもよい。
【００４８】
第１聴力器具および第２聴力器具のそれぞれ、またはいずれか１つにおいて、音インパルス抑制部は、音インパルスの存在が検出されたら、広帯域パワーの関数としてゲインを下げるように構成されてもよい。
【００４９】
第１聴力器具および第２聴力器具のそれぞれ、またはいずれか１つにおいて、音インパルス抑制部は、音インパルスの存在が検出されたら、ゲインを０ｄＢに下げるように構成されてもよい。
【００５０】
第１聴力器具および第２聴力器具のそれぞれ、またはいずれか１つにおいて、音インパルス抑制部は、レシーバが、インパルスに由来する音を発せず、または実質的にインパルスに由来する音を発せないような様式でインパルスを軽減するように構成されてもよい。
【００５１】
第１聴力器具および第２聴力器具のそれぞれ、またはいずれか１つにおいて、音インパルス抑制部は、ユーザが聴力器具を着用していなかったかのように、ユーザが対応する音インパルスを聞くような様式で、インパルスを軽減するように構成されてもよい。
【００５２】
第１聴力器具および第２聴力器具のそれぞれ、またはいずれか１つにおいて、音インパルス抑制部の信号処理パラメータは、ユーザ入力に従って調節されてもよい。
【００５３】
（音インパルス検出器）
第１聴力器具および第２聴力器具のそれぞれ、またはいずれか１つにおいて、音インパルス検出器は、オーディオ信号を複数のワープ処理されていない周波数帯に分割し、例えば、フィルタバンク、例えば、線形位相フィルタを有するフィルタバンクを利用し、上述の分割されたオーディオ信号に基づき、オーディオ信号中のインパルスの存在を検出するように構成されていてもよい。
【００５４】
第１聴力器具および第２聴力器具のそれぞれ、またはいずれか１つにおいて、音インパルス検出器は、オーディオ信号を複数のワープ処理されていない周波数帯に分割し、例えば、ワープフィルタを備えるフィルタバンクを利用するように、また、周波数によって分割されたオーディオ信号に基づき、オーディオ信号中のインパルスの存在を検出するように構成されてもよい。
【００５５】
第１聴力器具および第２聴力器具のそれぞれ、またはいずれか１つにおいて、音インパルス検出器は、オーディオ信号に対して周波数変換（例えば、フーリエ変換、例えば、離散フーリエ変換、高速フーリエ変換など、またはワープ処理されたフーリエ変換、ワープ処理された離散フーリエ変換、ワープ処理された高速フーリエ変換など）を行うことによって、オーディオ信号を複数の周波数帯に分割し、周波数領域中のオーディオ信号におけるインパルスの存在を検出するように構成されていてもよい。
【００５６】
第１聴力器具および第２聴力器具のそれぞれ、またはいずれか１つにおいて、音インパルス検出器のワープ処理された周波数帯は、人間の耳のバーク周波数尺度に対応していてもよい。
【００５７】
第１聴力器具および第２聴力器具のそれぞれ、またはいずれか１つにおいて、音インパルス検出器の周波数帯は、信号プロセッサの周波数帯とは異なっていてもよく、音インパルス検出器が信号プロセッサの一部を形成する場合、音インパルス検出器の周波数帯は、信号プロセッサの他の部分の周波数帯、例えば、音インパルス抑制部の周波数帯とは異なっていてもよい。
【００５８】
例えば、音インパルス抑制部の周波数帯は、ワープ処理された周波数帯であってもよく、一方、音インパルス検出器の周波数帯は、ワープ処理されていない周波数帯であってもよい。
【００５９】
第１聴力器具および第２聴力器具のそれぞれ、またはいずれか１つにおいて、オーディオ信号中のインパルスの存在を決定するとき、音インパルス検出器は、周波数帯Ｆｉにおけるオーディオ信号の信号レベルＳ０を時間ｔ０に決定し、周波数帯Ｆｉにおける少なくとも１つのすでに決定された信号レベルに基づき、決定された信号レベルＳ０を信号レベルＳ−１と比較するように構成されていてもよい。
【００６０】
第１聴力器具および第２聴力器具のそれぞれ、またはいずれか１つにおいて、音インパルス検出器は、時間ｔ０に決定される周波数帯Ｆｉにおけるオーディオ信号の信号レベルＳ０と、周波数帯Ｆｉにおいて少なくとも１つの既に決定された信号レベルに基づく信号レベルＳ−１との比率が、所定の数Ｎの周波数帯Ｆｉに対してあらかじめ決められた閾値Ｔｈｉより大きい場合に、オーディオ信号中のインパルスの存在を決定するように構成されていてもよい。以下に、あらかじめ決められた閾値Ｔｈｉは、インパルス勾配閾値としても示される。
【００６１】
第１聴力器具および第２聴力器具のそれぞれ、またはいずれか１つにおいて、信号レベルは、ｄＢ単位で音圧レベル（ＳＰＬ）であってもよく、すなわち、二乗平均平方根の音圧と、ｄＢでの２０μＰａの参照音圧との比率であってもよい。
【００６２】
発話と比較すると、人間に不快感を生じさせる音インパルスは、典型的には、多数の周波数帯、例えば、全数の周波数帯の半分よりも大きな多くの周波数帯（例えば、全数が１７の周波数帯について、１０）のあらかじめ決められた閾値を超え、すなわち、Ｎは、全数が１７の周波数帯について、１０に等しくてもよい。
【００６３】
第１聴力器具および第２聴力器具のそれぞれ、またはいずれか１つにおいて、閾値は、全ての周波数帯について、１０ｄＢに等しくてもよい。
【００６４】
第１聴力器具および第２聴力器具のそれぞれ、またはいずれか１つにおいて、音インパルス検出器は、バイノーラル音環境検出器によって決定される音環境に応答して動作するように構成されてもよく、例えば、閾値Ｔｈｉは、バイノーラル音環境検出器によって決定される音環境の関数であってもよい。
【００６５】
第１聴力器具および第２聴力器具のそれぞれ、またはいずれか１つにおいて、発話の開始にわたってインパルスの存在をさらに区別するために、インパルスの存在の決定において、広帯域パワーレベルも含まれていてもよい。例えば、インパルスの存在の決定は、周波数変換されたオーディオ信号の全音圧レベルが、あらかじめ決められた閾値、例えば、７５ｄＢＳＰＬ、８０ｄＢＳＰＬなどより大きいことが必要であろう。
【００６６】
第１聴力器具および第２聴力器具のそれぞれ、またはいずれか１つにおいて、あらかじめ決められた閾値の値は、Ｗ．Ｏ．Ｏｌｓｅｎ：「Ａｖｅｒａｇｅ  ｓｐｅｅｃｈ  ｌｅｖｅｌｓ  ａｎｄ  ｓｐｅｃｔｒａ  ｉｎ  ｖａｒｉｏｕｓ  ｓｐｅａｋｉｎｇ／ｌｉｓｔｅｎｉｎｇ  ｃｏｎｄｉｔｉｏｎｓ、ａ  ｓｕｍｍａｒｙ  ｏｆ  ｔｈｅ  Ｐｅａｒｓｏｎ、Ｂｅｎｎｅｔｔ、Ｆｉｄｅｌｌ（１９７７）ｒｅｐｏｒｔ」、Ａｍｅｒｉｃａｎ  Ｊｏｕｒｎａｌ  ｏｆ  Ａｕｄｉｏｌｏｇｙ、ｖｏｌ．７、ｐｐ．２１−２５、１９９８から再現される表１に関連して、以下に説明されるように、ユーザの好みに従って調節されてもよい。
【００６７】
以下の表１は、男性、女性および子供達の軽め、通常、高め、大きい、叫んでいる発話の発話レベル（重み付けされていないＳＰＬ）を示す。
【００６８】
【表１】
2018137734.tif 000003
【００６９】
第１聴力器具および第２聴力器具のそれぞれ、またはいずれか１つにおいて、音インパルス抑制部は、バイノーラル音環境検出器によって決定される音環境分類の関数である量を有するインパルスを軽減するように構成されてもよい。
【００７０】
第１聴力器具および第２聴力器具のそれぞれ、またはいずれか１つにおいて、新規な音インパルス検出器および音インパルス抑制部の種々の信号処理パラメータ、例えば、検出閾値、軽減レベルなどは、ユーザ入力に従って調節することができるだろう。
【００７１】
（聴力器具）
バイノーラル聴力器具は、データを携帯用デバイスに送信するためのデータインターフェースを備えていてもよい。
【００７２】
データインターフェースは、有線インターフェース、例えば、ＵＳＢインターフェース、または無線インターフェース、例えば、Ｂｌｕｅｔｏｏｔｈ（登録商標）インターフェース、例えば、Ｂｌｕｅｔｏｏｔｈ  Ｌｏｗ  Ｅｎｅｒｇｙインターフェースであってもよい。
【００７３】
バイノーラル聴力器具は、携帯用デバイスからオーディオ信号を受信するためのオーディオインターフェースを備えていてもよい。
【００７４】
オーディオインターフェースは、有線インターフェースまたは無線インターフェースであってもよい。
【００７５】
データインターフェースとオーディオインターフェースが合わさって１つのインターフェース、例えば、ＵＳＢインターフェース、Ｂｌｕｅｔｏｏｔｈインターフェースなどになってもよい。
【００７６】
バイノーラル聴力器具は、例えば、バイノーラル聴力器具と携帯用デバイスとの間でデータを交換するためのＢｌｕｅｔｏｏｔｈ  Ｌｏｗ  Ｅｎｅｒｇｙデータインターフェースと、オーディオ信号を送信するための有線オーディオインターフェースとを有していてもよい。
【００７７】
バイノーラル聴力器具は、ユーザの少なくとも１つの耳に向かってユーザが選択可能に送信するための、周囲の音を受信するための１つ以上のアンビエントマイクロフォンを備えていてもよい。
【００７８】
バイノーラル聴力器具が、聴力器具のレシーバによってユーザの耳に向かって発せられる音のための、防音または実質的な防音の送信経路を与える場合において、ユーザは、周囲から望ましくない様式で音響的に切断される場合がある。このことは、例えば、交通機関で移動している場合には、危険な場合がある。
【００７９】
バイノーラル聴力器具は、ユーザインターフェース、例えば、プッシュボタンを有していてもよく、その結果、ユーザは、所望な場合、マイクロフォンのオンとオフを切り替えることができ、それによって、バイノーラル聴力器具のアンビエントマイクロフォンおよび１つのレシーバまたはラウドスピーカーと接続するか、または切断することができる。
【００８０】
バイノーラル聴力器具は、１つ以上のアンビエントマイクロフォンの出力に接続する入力と、オーディオ信号を与える別のオーディオ信号（例えば、携帯用デバイス）源に接続する別の入力と、２つの入力オーディオ信号の重み付けされた組み合わせであるオーディオ信号を与える出力とを有するミキサーを有していてもよい。
【００８１】
ユーザ入力は、さらに、２つの入力オーディオ信号の組み合わせの重みのユーザ調節のための手段（例えば、増分調節のためのダイアルまたはプッシュボタン）を備えていてもよい。
【００８２】
バイノーラル聴力器具は、アンビエントマイクロフォンによって受信される周囲信号の大きさを決定するための閾値検出器を備えていてもよく、ミキサーは、周囲信号の大きさが特定の閾値を超える場合にのみ、その出力信号中にアンビエントマイクロフォン信号の出力を含むように構成されてもよい。
【００８３】
アンビエントマイクロフォンおよび音声マイクロフォンからオーディオ信号を制御するさらなる様式は、ＵＳ２０１１／０２０６２１７Ａ１号に開示される。
【００８４】
（補聴器）
バイノーラル聴力器具システムは、バイノーラル補聴器システムであってもよく、ここで、バイノーラル聴力器具は、バイノーラル補聴器であり、第１聴力器具および第２聴力器具はそれぞれ、補聴器、例えば、ＢＴＥ、ＲＩＥ、ＩＴＥ、ＩＴＣまたはＣＩＣなどの補聴器であり、ユーザの難聴を補償する難聴補償済オーディオ信号を生成するためにあらかじめ決められた信号処理アルゴリズムに従ってオーディオ信号を処理するように構成された難聴処理装置を備えている。
【００８５】
難聴処理装置は、ダイナミックレンジの消失を含む難聴を補償するように構成されたダイナミックレンジコンプレッサを備えていてもよい。
【００８６】
難聴処理装置は、信号プロセッサの一部を形成していてもよい。
【００８７】
聴覚障害の人間は、正常な聴覚を有する人間と比較して、高い音圧レベルの音インパルスを受けたときに、不快さを感じやすい。
【００８８】
ダイナミックレンジコンプレッサ、短縮すると「コンプレッサ」は、補聴器において、発話の一時的な特徴のゆがみを避けるのに十分に長い時定数を用いた、ダイナミックサウンドレベルの圧縮を利用する。補聴器を用いて軽減される関連するリクルートメント効果は、高エネルギーの音インパルスによって引き起こされる不快さを増してしまう。
【００８９】
典型的には、感音難聴を患う聴覚障害者は、（１）周波数に依存し、（２）耳での音の大きさに依存する聴覚感度の消失を経験する。
【００９０】
したがって、聴覚障害者は、正常な聴覚を有する人間と同様に、特定の周波数（例えば、低い周波数）を聞くことができる場合があるが、他の周波数は、同様には聞こえない。典型的には、聴覚障害者は、高い周波数での聴覚感度の消失を経験する。
【００９１】
感度が低下した周波数で、聴覚障害者は、多くは、通常の聴力を有する人間と同様に大きな音を聞くことができるが、通常の聴力を有する人間と同じ感度で弱い音を聞くことができない。したがって、聴覚障害者は、ダイナミックレンジの消失に悩まされる。
【００９２】
補聴器におけるダイナミックレンジコンプレッサは、聴覚障害者の耳に到達する音のダイナミックレンジを、聴覚障害者の残ったダイナミックレンジに合うように圧縮する。聴覚障害者のダイナミックレンジの聴音消失度は、周波数帯によって異なっている場合がある。
【００９３】
入力−出力コンプレッサ伝達関数の勾配は、圧縮比と呼ばれる。人間によって必要とされる圧縮比は、全入力パワー範囲にわたって一定ではない場合があり、すなわち、典型的には、コンプレッサの特徴は、１つ以上のニーポイントを有する。
【００９４】
したがって、ダイナミックレンジコンプレッサは、音なる周波数帯で異なった機能を発揮するように構成されてもよく、それによって、聴覚障害者の難聴の周波数依存を説明する。このようなマルチバンドまたはマルチチャンネルのコンプレッサは、入力信号を２つ以上の周波数帯または周波数チャンネルに分割し、次いで、それぞれの周波数帯またはチャンネルを別個に圧縮する。
【００９５】
マルチバンドまたはマルチチャンネルのコンプレッサは、入力信号を２つ以上のワープ処理された周波数帯または周波数チャンネルに分割してもよい。
【００９６】
ダイナミックレンジコンプレッサは、さらに、アタック時定数とリリース時定数を有する。アタック時定数は、コンプレッサが大きな音の発生時に反応するのにかかる時間を決定する。すなわち、ゲインを小さくするのにかかる時間である。リリース時定数は、大きな音が止んだ後にシステムがゲインを再び上げるのにかかる時間を決定する。もっとも多くは、アタック時間は、非常に短く（５ミリ秒未満）、リリース時間はこれより長い（１５〜数百ミリ秒のどこか）。
【００９７】
コンプレッサのパラメータ（例えば、圧縮比、ニーポイントの位置、アタック時定数、リリース時定数など）は、それぞれの周波数帯で異なっていてもよい。
【００９８】
ダイナミックレンジコンプレッサは、許容されるフィッティングルールに従って、人間に対して決められている聴力閾値に基づき、コンプレッサパラメータの調節によって、人間の難聴に適合させる。
【００９９】
ＥＰ１４４８０２２Ａ号は、マルチバンドコンプレッサを備える補聴器を開示する。
【０１００】
第１聴力器具および第２聴力器具のそれぞれ、またはいずれか１つにおいて、音インパルス抑制部は、難聴処理装置および／またはコンプレッサのゲイン設定に基づき、信号処理パラメータ調節、例えば、ゲイン調節、アタック時間調節、リリース時間調節などを行うように構成されていてもよい。
【０１０１】
（ヘッドセット、ヘッドホンなど）
バイノーラル聴力器具は、ヘッドセット、ヘッドホン、イヤホン、イヤディフェンダーまたはイヤマフなど、例えば、イヤフック、インイヤ、オンイヤ、オーバーイヤ、ビハインドネック、ヘルメットまたはヘッドガードなどであってもよい。
【０１０２】
バイノーラル聴力器具は、２つのイヤホンが付いたヘッドバンドを有するヘッドセットまたはヘッドホンであってもよい。従来のヘッドセットおよびヘッドホンからよく知られているように、ヘッドバンドは、ユーザの頭頂部の上に配置されることを意図している。
【０１０３】
バイノーラル聴力器具システムの信号プロセッサ、または信号プロセッサの１つ以上の部品は、バイノーラル聴力器具のヘッドバンドに収容されていてもよい。例えば、バイノーラルインパルス環境検出器は、バイノーラル聴力器具のヘッドバンドに収容されていてもよい。
【０１０４】
バイノーラル聴力器具は、２つのイヤホンが付いたネックバンドを有していてもよい。従来のネックバンドヘッドセットおよびヘッドホンからよく知られているように、ネックバンドは、ユーザの首の後ろ側に配置されることを意図している。
【０１０５】
バイノーラル聴力器具システムの信号プロセッサ、または信号プロセッサの１つ以上の部品は、バイノーラル聴力器具のネックバンドに収容されていてもよい。例えば、バイノーラルインパルス環境検出器は、バイノーラル聴力器具のネックバンドに収容されていてもよい。
【０１０６】
（携帯用デバイス）
バイノーラル聴力器具システムは、バイノーラル聴力器具とは別のデバイス、例えば、携帯用デバイス、例えば、バイノーラル聴力器具のためのリモートコントロール、携帯用コンピュータ、例えば、スマートフォン、タブレットコンピュータ、ＰＤＡなどを備えていてもよく、有線インターフェースおよび／または無線インターフェースによってバイノーラル聴力器具と通信するように構成されてもよい。
【０１０７】
バイノーラル聴力器具システムの信号プロセッサ、または信号プロセッサの１つ以上の部品は、携帯用デバイスに収容されていてもよい。例えば、バイノーラルインパルス環境検出器、またはバイノーラルインパルス環境検出器を備えるバイノーラル音環境検出器は、携帯用デバイスに収容されていてもよい。
【０１０８】
携帯用デバイスは、バイノーラル聴力器具からのデータを受信し、送信するためのデータインターフェースを備えていてもよい。
【０１０９】
データインターフェースは、有線インターフェース、例えば、ＵＳＢインターフェース、または無線インターフェース、例えば、Ｂｌｕｅｔｏｏｔｈインターフェース、例えば、Ｂｌｕｅｔｏｏｔｈ  Ｌｏｗ  Ｅｎｅｒｇｙインターフェースであってもよい。
【０１１０】
携帯用デバイスは、オーディオ信号をバイノーラル聴力器具に、場合によりバイノーラル聴力器具から、送信し、場合により受信するためのオーディオインターフェースを備えていてもよい。
【０１１１】
オーディオインターフェースは、有線インターフェースまたは無線インターフェースであってもよい。
【０１１２】
例えば、バイノーラル聴力器具は、コードを用いて携帯用デバイスに接続し、携帯用デバイスからバイノーラル聴力器具へと発話および音楽を送信するための有線オーディオインターフェースを与えてもよい。
【０１１３】
データインターフェースとオーディオインターフェースが合わさって１つのインターフェース、例えば、ＵＳＢインターフェース、Ｂｌｕｅｔｏｏｔｈインターフェースなどになってもよい。
【０１１４】
携帯用デバイスは、バイノーラル聴力器具システムのユーザの周囲のインパルス環境の存在の決定に基づき、第１聴力器具の音インパルス検出器のインパルス検出信号と、第２聴力器具の音インパルス検出器のインパルス検出信号を受信するために、第１聴力器具および第２聴力器具のそれぞれの信号プロセッサの適切な信号処理アルゴリズムの選択のために第１聴力器具および第２聴力器具それぞれの出力を送信するために、例えば、Ｂｌｕｅｔｏｏｔｈ  Ｌｏｗ  Ｅｎｅｒｇｙデータインターフェースを有していてもよい。
【０１１５】
ユーザは、携帯用デバイスのユーザインターフェースを使用し、例えば、特定の信号処理アルゴリズムの選択のために、または信号処理パラメータ、例えば、音インパルスのボリューム、軽減量などの調節のために、バイノーラル聴力器具を制御してもよい。
【０１１６】
他の態様および特徴と、さらなる態様および特徴は、以下の実施形態の詳細な記載を読めば明らかであろう。
【０１１７】
図面は、実施形態の設計および有用性を示し、ここで、同様の構成要素は、共通の参照番号によって称される。これらの図面は、必ずしも縮尺通りに描かれているわけではない。上に引用した利点および目的と、他の利点および目的がどのように得られるかをより良く理解するために、実施形態のさらに特定的な記載がなされ、添付の図面に示される。これらの図面は、単に典型的な実施形態を示すものであり、したがって、その範囲を限定するものと考えるべきではない。
【図面の簡単な説明】
【０１１８】
【図１】ヘッドセットの形態のバイノーラル聴力器具を示す。
【図２】バイノーラル補聴器の形態のバイノーラル聴力器具を示す。
【図３】バイノーラル聴力器具システムのブロック図を示す。
【図４】バイノーラル聴力器具システムの別のブロック図を示す。
【図５】バイノーラル聴力器具システムのさらに別のブロック図を示す。
【図６】従来技術の補聴器の信号処理スキームのブロック図を示す。
【図７】従来技術のワープ処理された遅延線における周波数の関数としての遅延のプロットを示す。
【図８】本発明の一実施形態に係る信号処理スキームのブロック図を示す。
【図９】ワープ処理された周波数帯のプロットを示す。
【図１０】本発明に係る音インパルス検出器の周波数帯のプロットを示す。
【図１１】本発明の一実施形態に係る広帯域パワーの関数としてのゲイン低下のプロットを示す。
【図１２Ａ】本発明の一実施形態に係る時間の関数としてのインパルス検出のプロットを示す。
【図１２Ｂ】本発明の一実施形態に係る時間の関数としてのゲイン低下のプロットを示す。
【図１３】本発明の一実施形態に係るパワー推定計算のフローチャートを示す。
【図１４Ａ】本発明の一実施形態の時間の関数としてのインパルス検出のプロットを示す。
【図１４Ｂ】本発明の一実施形態の時間の関数としてのα値のプロットを示す。
【図１５】本発明の一実施形態に係る異なる音環境のためのインパルス勾配閾値のプロットを示す。
【図１６】本発明の別の実施形態に係る信号処理スキームのブロック図を示す。
【発明を実施するための形態】
【０１１９】
添付の特許請求の範囲に係る新規な聴力器具の種々の具体例を、新規な聴力器具の種々の実施形態が示された添付の図面を参照しつつ、本明細書で以下にさらに完全に記載する。しかし、添付の特許請求の範囲に係る新規な聴力器具は、異なる形態で具現化されてもよく、本明細書に示す実施形態に限定するものと解釈すべきではない。これに加え、図示されている実施形態は、示されている全ての態様または利点を有する必要はない。特定の実施形態と関連して記載される態様または利点は、必ずしもその実施形態に限定されず、図示されていない場合であっても、またはそのように明確に記載されていない場合であっても、任意の他の実施形態で実施することができる。添付の図面は、模式図であり、明確さのために単純化されていることも注記しておくべきであり、これらは、単に、新規な聴力器具の理解に必須な詳細を示すものであるが、他の詳細は省かれている。
【０１２０】
本明細書で使用される場合、単数形「１つの（ａ）」、「１つの（ａｎ）」、「その（ｔｈｅ）」は、本文中で他の意味であると明確に示されていない限り、１つまたはそれ以上を指す。
【０１２１】
図１は、バイノーラル聴力器具システム、すなわち、請求項１の用語に含まれ、請求項１５に従って動作するバイノーラルヘッドセット１を示す。
【０１２２】
バイノーラルヘッドセット１は、従来のコード付ヘッドセットと同様に、ヘッドバンド１７によって相互に接続した２個のイヤホン１５Ａ、１５Ｂを備えている。
【０１２３】
示されているヘッドセット１のそれぞれのイヤホン１５Ａ、１５Ｂは、ユーザの快適さを高め、聞き取りまたは双方向通信の間の周囲音を遮断するための耳パッド１８を備えている。
【０１２４】
自由端に音声マイクロフォン４を有するマイクロフォンブーム１９は、第１イヤホン１５Ａから延びている。マイクロフォン４は、ユーザの音声を検知するために、例えば、携帯電話ネットワークを介する双方向通信中にユーザの音声を検知するために、および／またはユーザコマンドを受信するために使用される。
【０１２５】
第１イヤホン１５Ａの筐体は、第１アンビエントマイクロフォン６Ａを備えており、第２イヤホン１５Ｂの筐体は、第２アンビエントマイクロフォン６Ｂを備えている。
【０１２６】
アンビエントマイクロフォン６Ａ、６Ｂは、周囲の音を検知するためと、周囲の音に応答してオーディオ信号を与えるために提供される。ユーザは、オーディオ信号と、別のデバイス（図示せず）、例えば、携帯電話から受信する信号とを混合するように選択することができる。
【０１２７】
コード３０は、第１イヤホン１５Ａから、携帯用デバイス（図示せず）、例えば、携帯電話、ＩＰｏｄ（登録商標）、ＧＰＳユニット、スマートフォン、ヘッドセット１のためのリモートコントロールなどまで延びている。
【０１２８】
ヘッドセットのＢｌｕｅｔｏｏｔｈ送受信機は、Ｂｌｕｅｔｏｏｔｈリンク２０によって、携帯用デバイス（図示せず）のＢｌｕｅｔｏｏｔｈ送受信機まで無線接続している。
【０１２９】
コード３０は、オーディオ信号をマイクロフォン４、６Ａ、６Ｂから携帯用デバイス（図示せず）まで送信するために使用されてもよく、一方、Ｂｌｕｅｔｏｏｔｈネットワークは、データをヘッドセット１から携帯用デバイス（図示せず）までデータ送信し、コマンド、例えば、ユーザコマンド、例えば、選択したマイクロフォン４、６Ａ、６Ｂの電源を入れるか、または切るユーザコマンドを携帯用デバイス（図示せず）からヘッドセット１までデータ送信するために使用されてもよい。
【０１３０】
コード３０をオーディオ信号とデータ信号の両方の送信に使用するような、Ｂｌｕｅｔｏｏｔｈ送受信機を備えていない同様のヘッドセット１が提供されてもよい。または、コード３０を備えていない同様のヘッドセット１が提供されてもよく、その結果、Ｂｌｕｅｔｏｏｔｈ送受信機がオーディオ信号とデータ信号の両方の送信に使用される。
【０１３１】
マイクロフォンブーム１９を備えていない同様のヘッドセット１が提供されてもよく、それによって、マイクロフォン４は、従来技術のヘッドセットからよく知られているように、コード上の筐体の中に与えられる。
【０１３２】
マイクロフォンブーム１９とマイクロフォン４を備えていない同様のヘッドホン１が提供されてもよい。
【０１３３】
ユーザは、アンビエントマイクロフォン６Ａ、６Ｂによって検知される周囲の音と、携帯用デバイス（図示せず）から受信する音とを混合するように選択することができる。
【０１３４】
混合する場合、第１アンビエントマイクロフォン６Ａからの音は、第１イヤホン１５Ａのレシーバに向かい、第２アンビエントマイクロフォン６Ｂからの音は、第２イヤホン１５Ｂのレシーバに向かう。したがって、ユーザは、空間的効果を経験し、それによって、ユーザは、周囲の音がどの方向からやってくるかを聞き分けることができる。
【０１３５】
筐体５０は、ヘッドバンド１７に取り付けられているか、または一体化されており、筐体５０とイヤホン１５Ａ、１５Ｂとの間のヘッドバンド１７の内部を走るワイヤを介し、イヤホン１５Ａ、１５Ｂ中の要素と相互に接続している。
【０１３６】
筐体５０は、ヘッドセット１には難聴補償が与えられておらず、イヤホン１５Ａ、１５Ｂには信号処理回路が収容されておらず、イヤホン１５Ａ、１５Ｂがそれぞれ、１個のそれぞれのアンビエントマイクロフォン１２、１２’（図１では見ることができない）と、それぞれのレシーバ２４、２４’（図１では見ることができない）を収容しているという事実を除き、図５に示される回路と同じヘッドセット１の信号処理回路を収容している。図５に示される全ての電気的な相互接続は、ヘッドセット１において、有線の相互接続として与えられる。
【０１３７】
ヘッドセット１のユーザインターフェースは、図面では見ることができないが、携帯用デバイス（図示せず）によって与えられるユーザインターフェースに加え、従来のヘッドセットからよく知られているような１つ以上のプッシュボタンおよび／または１つ以上のダイアルを含んでいてもよい。
【０１３８】
図２は、請求項１の用語に含まれ、請求項１５に従って動作するバイノーラル聴力器具システム、すなわち、バイノーラル補聴器システム１を示す。バイノーラル補聴器システム１は、ユーザの左耳Ｌの難聴を補償するように構成された第１補聴器１０と、ユーザの右耳Ｒの難聴を補償するように構成された第２補聴器１０’とを備えている。難聴が補償された第１オーディオ信号は、第１出力レシーバ２４を介し、第１補聴器１０によってユーザの左耳Ｌに対して与えられ、難聴が補償された第２オーディオ信号は、第２出力レシーバ２４’を介し、第２補聴器１０’によってユーザの右耳Ｒに対して与えられる。
【０１３９】
第１の耳Ｌの隣には、第１音インパルス検出器３４と、第１外部インパルス検出ブロック３７と、第１バイノーラルインパルス環境検出器３２と、第１音処理最適化ブロック２０とを含む、第１インパルス抑制アルゴリズムのブロック図が示されている。同様に、第２の耳Ｒの隣には、第２音インパルス検出器３４’と、第２外部インパルス検出ブロック３７’と、第２バイノーラルインパルス環境検出器３２’と、第２音処理最適化ブロック２０’とを含む、第２インパルス抑制アルゴリズムのブロック図が示されている。
【０１４０】
使用中に、第１バイノーラルインパルス環境検出器３２は、無線接続３５を介し、その動作方式に関する情報を第２インパルス検出ブロック３７’に与え、第２バイノーラルインパルス環境検出器３２’は、無線接続３５’を介し、その動作方式に関する情報を第１インパルス検出ブロック３７に与える。
【０１４１】
したがって、補聴器システム１の第１補聴器１０および第２補聴器１０’は、無線接続３５および３５’を介し、インパルス環境条件に関する情報を互いに交換することができる。補聴器１０、１０’の両方ともがインパルス環境にあることを検出すると、この条件を反映するために、これらの動作方式が変わってもよい。第１補聴器１０のみがインパルス環境にあることを検出すると、そのバイノーラルインパルス環境検出器３２からのこの情報を、無線接続３５を介し、第２補聴器１０’のインパルス検出ブロック３７に与える。しかし、第２補聴器１０’はインパルス環境を検出していないので、通常の動作を続ける、すなわち、インパルスが検出されなかったかのように動作を続けることを選択するだろう。しかし、第２補聴器１０’がそれ自身のインパルス環境を検出すると、すばやく対策を取り、インパルス抑制動作方式に変更する準備が行われる。
【０１４２】
図３は、請求項１の用語に含まれ、請求項１５に従って動作するバイノーラル聴力器具システム、すなわち、バイノーラル補聴器システム１のブロック図である。
【０１４３】
バイノーラル補聴器システム１は、ユーザの左耳の難聴を補償するように構成された第１補聴器１０と、ユーザの右耳の難聴を補償するように構成された第２補聴器１０’とを有するバイノーラル補聴器を備えている。
【０１４４】
第１補聴器１０および第２補聴器１０’は、それぞれ、前方マイクロフォン１２、１２’と、音環境において第１前方マイクロフォン１２、１２’で受信された音信号に応答してデジタル入力信号１４、１４’を与えるための前方Ａ／Ｄ変換器（図示せず）と、第１後方マイクロフォン１６、１６’と、後方マイクロフォン１６、１６’で受信された音信号に応答してデジタル入力信号１８、１８’を与えるための後方Ａ／Ｄ変換器（図示せず）と、あらかじめ決められた信号処理アルゴリズムに従ってデジタル入力信号１４、１４’、１８、１８’を処理し、処理済出力信号２２、２２’を生成するように構成された信号プロセッサ２０、２０’と、処理済音信号２２、２２’を、それぞれユーザの左耳および右耳の鼓膜に向かって発する音響出力信号に変換するためのＤ／Ａ変換器（図示せず）と、出力レシーバ２４、２４’とを備えている。
【０１４５】
補聴器１０、１０’はそれぞれ、さらに、バイノーラル補聴器１のユーザの周囲の音環境を決定するためのバイノーラル音環境検出器２６、２６’を備えている。この決定は、両方の補聴器のそれぞれの前方マイクロフォンおよび後方マイクロフォン１２、１６、１２’、１６’によって与えられるオーディオ信号１４、１８、１４’、１８’に基づき（すなわちバイノーラルであり）、それによって、信号プロセッサ２０、２０’は、決定された環境に最も適したアルゴリズムと連携して自動的に切り替わり、それによって、バイノーラル補聴器システム１によって、種々の音環境において、最適な音質および／または発話の明瞭さが維持される。
【０１４６】
この決定に基づき、バイノーラル音環境検出器２６、２６’はそれぞれ、それぞれの信号プロセッサ２０、２０’によって実行するために、決定された音環境に適した信号処理アルゴリズムを選択するために、出力２８、２８’をそれぞれの信号プロセッサ２０、２０’に与える。したがって、信号プロセッサ２０、２０’はそれぞれ、決定された環境に最も適切なアルゴリズムに自動的に切り替わり、それによって、種々の音環境において、最適な音質および／または発話の明瞭さが維持される。
【０１４７】
バイノーラル音環境検出器２６、２６’は、それぞれ、それぞれのオーディオ信号１４、１８、１４’、１８’の特徴的なパラメータを決定するためのそれぞれの特徴抽出部３０、３０’を備えている。
【０１４８】
特徴抽出部３０、３０’はそれぞれ、それぞれのオーディオ信号１４、１８、１４’、１８’を音特徴（すなわち、特徴的なパラメータ）にマッピングする。これらの特徴は、信号パワー、スペクトルデータおよび他のよく知られた特徴を含んでいてもよい。
【０１４９】
バイノーラル音環境検出器２６、２６’はそれぞれ、決定された特徴的なパラメータに基づいて音環境をカテゴリー化するための環境分類部３２、３２’をさらに備えている。
【０１５０】
環境分類部３２、３２’はそれぞれ、音を、発話、意味のわからない発話、音楽、交通騒音、インパルス環境、例えば、レストランの騒々しさなどを含め、種々の環境分類にカテゴリー化する。この分類プロセスは、単純なニアレストネイバー探索、ニューラルネットワーク、隠れマルコフモデルシステムまたはパターン認識を可能にする別のシステムからなっていてもよい。環境分類部の出力は、１つの環境分類を含む「ハード」分類か、またはそれぞれの分類に属する音の確率を示す確率の組であってもよい。他の出力も適用することができるだろう。
【０１５１】
バイノーラル音環境検出器２６、２６’はそれぞれ、さらに、それぞれの信号プロセッサ２０、２０’で実行するための信号処理アルゴリズムを選択するためのそれぞれの出力２８、２８’を与えるためのそれぞれのパラメータマップ３４、３４’を含む。
【０１５２】
パラメータマップ３４、３４’はそれぞれ、環境分類部３２、３２’の出力を、それぞれの信号プロセッサ２０、２０’のための一組のパラメータにマッピングする。このようなパラメータの例は、ノイズ低減量、ゲイン量、ＨＦゲイン量である。他のパラメータが含まれていてもよい。
【０１５３】
信号は、信号プロセッサ２０、２０’によって実行される信号処理アルゴリズムが連携して選択されるように、例えば、無指向性の音環境の場合、すなわち、音環境が方向によって変わらない場合には、信号処理アルゴリズムが、それぞれの耳に与えられる難聴補償において起こり得る相違に起因する相違とは無関係に、同じであるように選択されるように、第１補聴器１０と第２補聴器１０’の間で送信される。
【０１５４】
ある補聴器１０、１０’の環境分類部３２、３２’の出力３８、３８’は、無線接続３５、３５’を介し、それぞれのもう一方の補聴器１０’、１０のそれぞれの他のパラメータマッピング部３４、３４’に送信される。次いで、パラメータマップ３４、３４’は、２つの入力３８、３８’で動作し、信号処理アルゴリズムのパラメータを生成するが、パラメータマッピング部３４、３４’は両方とも同じ入力を受信するため、それぞれの耳に与えられる難聴補償において起こり得る相違に起因する相違とは無関係に、同じパラメータ値を生成するだろう。
【０１５５】
この様式において、環境分類のための確率または論理値の組のみが送信されなければならないため、接続３５、３５’の送信データ速度は低い。
【０１５６】
また、どちらかといえば高いレイテンシを受け入れることができる。パラメータマッピングの出力に従って変わり得る変数に時定数を適用することによって、レイテンシによって生じる相違は、ローパスフィルタリングされる。数秒の移行期間が許容される場合、バイノーラル補聴器システムは、接続３５、３５’を介し、１秒に３〜４回の送信のみで動作することができる。
【０１５７】
ここで、電力消費は、低いまま維持される。
【０１５８】
特徴抽出部３０、３０’はそれぞれ、それぞれのオーディオ信号１４、１８、１４’、１８’の中のインパルスの存在を検出し、インパルスが検出された信号を出力するように構成された、それぞれの音インパルス検出器を備えており、図８〜１６を参照しつつ以下にさらに詳細に説明されるように、いつインパルスが検出されたかを示している。
【０１５９】
インパルスが検出された信号は、環境分類部３２、３２’によってインパルス環境を決定することができるように、また、ユーザの両耳でのインパルス環境の決定に応答して、それぞれの信号プロセッサ２０、２０’で実行するのに適した信号処理アルゴリズムを選択するために、それぞれのパラメータマップ３４、３４’が、それぞれの出力２８、２８’を与えることができるように、それぞれの環境分類部３２、３２’に与えられる。したがって、それぞれのバイノーラル音環境検出器２６、２６’が１つのバイノーラルインパルス環境検出器を備えるように、バイノーラルインパルス環境検出器は多重化されている。
【０１６０】
それぞれの信号プロセッサ２０、２０’は、パラメータマップ３４、３４’のそれぞれの出力２８、２８’に応答して、例えば、ゲイン調節、アタック時間調節、リリース時間調節などによって、信号処理パラメータの調節によってインパルスを軽減するように構成された、それぞれの音インパルス抑制部を備えている。
【０１６１】
例えば、それぞれのバイノーラル音環境検出器２６、２６’に含まれるバイノーラルインパルス環境検出器が、音環境がインパルス環境に変わったと判定し、インパルス環境における最適化信号処理のための信号処理アルゴリズムに従って動作するように信号プロセッサ２０、２０’を制御するまでは、例えば、ユーザが、方向感覚を維持することができるように、処理済オーディオ信号２２、２２’に含まれる空間的な手がかりのゆがみを避けるのと同じ量だけ、信号プロセッサの得られるゲインを下げるように、音インパルス抑制部を制御するまでは、音インパルスのない音環境において、第１補聴器１０および第２補聴器１０’の信号プロセッサ２０、２０’は、図８〜１６を参照しつつ以下にさらに詳細に説明されるように、それぞれの音インパルス検出器によって検出されたインパルスに応答して、それぞれのオーディオ信号１４、１８、１４’、１８’の中の音インパルスを迅速に、好ましくは即時に抑制するために、音インパルス抑制部がモノラルに動作する、すなわち、ユーザの他の耳で受信した音とは独立して動作する信号処理アルゴリズムに従って動作してもよい。
【０１６２】
第１補聴器および第２補聴器１０、１０’は、第１補聴器および第２補聴器１０、１０’のそれぞれ１つに対し、環境分類部３２、３２’の出力信号３５、３５’を送信するために、Ｂｌｕｅｔｏｏｔｈ  ＬＥ無線ネットワークに相互接続している。
【０１６３】
図４は、請求項１の用語に含まれ、請求項１５に従って動作する別のバイノーラル補聴器システム１のブロック図である。
【０１６４】
バイノーラル補聴器システム１は、ユーザの左耳の難聴を補償するように構成された第１補聴器１０と、ユーザの右耳の難聴を補償するように構成された第２補聴器１０’と、システムのバイノーラルインパルス環境検出器を含むバイノーラル環境検出器２６を備えるスマートフォン１１とを備えている。
【０１６５】
第１補聴器および第２補聴器１０、１０’の回路は、図３に示される第１補聴器および第２補聴器１０、１０’のバイノーラル音環境検出器２６、２６’が組み合わさり、図４のスマートフォン１１の方に移動し、その結果、図４において、音環境の決定は、オーディオ信号１４、１８、１４’、１８’と、補聴器１０、１０’の音インパルス検出器３７、３７’によって与えられるインパルスが検出された信号３６、３６’とに基づいて、単独のバイノーラル音環境検出器２６によって行われるという事実以外は、図３に示される第１補聴器および第２補聴器１０、１０’の回路と同一である。
【０１６６】
スマートフォン１１と、第１補聴器および第２補聴器１０、１０’は、オーディオ信号１４、１８、１４’、１８’を第１補聴器および第２補聴器１０、１０’からスマートフォン１１に送信し、バイノーラル音環境検出器２６の出力信号２８を第１補聴器および第２補聴器１０、１０’に送信するために、Ｂｌｕｅｔｏｏｔｈ  ＬＥ無線ネットワークで相互接続される。
【０１６７】
図５は、請求項１の用語に含まれ、請求項１５に従って動作するさらに別のバイノーラル補聴器システム１のブロック図である。
【０１６８】
バイノーラル補聴器システム１は、ユーザの左耳の難聴を補償するように構成された第１補聴器１０と、ユーザの右耳の難聴を補償するように構成された第２補聴器１０’とを備えている。
【０１６９】
第１補聴器および第２補聴器１０、１０’の回路は、図３に示される第１補聴器および第２補聴器１０、１０’のそれぞれのバイノーラルインパルス環境検出器を含むバイノーラル音環境検出器２６、２６’が、図５の第１補聴器１０の１つのバイノーラルインパルス環境検出器を含むバイノーラル音環境検出器２６において組み合わさり、その結果、図５において、音環境の決定は、第１補聴器および第２補聴器１０、１０’両方のオーディオ信号１４、１８、１４’、１８’と、第２の補聴器１０’の音インパルス検出器３７’からのインパルスが検出された信号３６’とに基づいて、単独のバイノーラルインパルス環境検出器を備える単独のバイノーラル音環境検出器２６によって行われるという事実以外は、図３に示される第１補聴器および第２補聴器１０、１０’の回路と同一である。
【０１７０】
第１補聴器および第２補聴器１０、１０’は、第２補聴器１０’のオーディオ信号１４’、１８’を第１補聴器１０に送信し、バイノーラル音環境検出器２６の出力信号を第２補聴器１０’に送信するために、Ｂｌｕｅｔｏｏｔｈ  ＬＥ無線ネットワークに相互接続している。
【０１７１】
図６は、補聴器の分野でよく知られた補聴器コンプレッサにおいて行われるダイナミック信号圧縮を伴う従来技術の補聴器信号処理スキーム１０を模式的に示す。
【０１７２】
公知の補聴器コンプレッサは、ワープ処理された周波数変換を行い、人間の聴力のバーク周波数尺度に対応する１７のワープ処理された周波数帯におけるゲインを制御する。ゲインは、補聴器の分野でよく知られているように、通常の聴力を有する人間のダイナミックレンジが、ダイナミックレンジの消失が起こる難聴ユーザの残ったダイナミックレンジへと圧縮されるように、補聴器および補聴器のユーザの難聴のフィッティングルールに従って制御される。アタック時定数およびリリース時定数は、発話のゆがみを避けるために、かなり長い。
【０１７３】
難点は、短い強い音が過剰に増幅され、知覚される音の大きさの急激な増加と組み合わされること（リクルートメントとしても知られる）であり、このことは、潜在的に、補聴器コンプレッサの良くない点となるであろう。
【０１７４】
例えば、ドアを閉める音、銀食器のぶつかる音、鍵同士が当たる音などの音インパルスの性質に起因して、補聴器ユーザは、多くは、日常の使用において、不快さやイライラが残る。
【０１７５】
多くの場合に、非常にまれに発生する事象が、このような様式で聴力器具の使用に影響を与え、聴覚障害のユーザは、聴力器具の着用から意図した利点を全て失うかもしれない。音量を小さくするか、耳から聴力器具をわずかにはずすことは、ある程度までは、周波数に依存するゲイン低下と似ており、アルゴリズムが迅速かつ効果的になり得るべきものである。適切なインパルス抑制を得るために、インパルスの検出および応答は、最小の遅延で（例えば、インパルスの間で音の大きさが支援されないまま維持されるように）行われなければならない。
【０１７６】
軽度の難聴の場合、音インパルスからの保護は、聴力の保護という別の効果を有する場合もある。正常な聴力を有する人間は、高い音圧レベル（ＳＰＬ）によって開始される、時に音響反射と呼ばれるものを有する。これは、内耳に伝わる音の強度を選択的に下げる。しかし、あぶみ骨筋と鼓膜張筋の固有の反応時間に由来する約２０ｍｓの短い遅延を伴う。従って、高レベルのインパルス音（例えば、銃声）は、筋肉が反応するには短すぎ、もしかすると、永久的な難聴を引き起こす場合がある。
【０１７７】
難聴と聴覚構成の特定の組み合わせを有する聴力器具ユーザは、あまり強くない弱音インパルスによっても多く悩まされる。これは、コンピュータのキーボードを叩く音、紙のカサカサいう音であってもよい。
【０１７８】
新規な音インパルス検出器および／または音インパルス抑制部は、ユーザ入力によって調節可能であってもよい。
【０１７９】
図示されている実施形態において、補聴器コンプレッサの現在のゲイン設定を考慮しつつ、ゲイン調節が行われる。
【０１８０】
公知のワープ処理された補聴器コンプレッサ信号処理スキームを図６の上部に示す。番号付けは、１つのサンプルブロック内の実行順序を示す。コンプレッサの入力から出力までの遅延は、１つのサンプルブロックをサンプリングする時間に等しく、例えば、数ミリ秒である。
【０１８１】
臨界的な帯域分解能でパワーを推定することは、遅延線をワープ処理することによって達成される。一組のオールパスフィルタは、周波数に依存する単位遅延を実装する役割を果たし、低い周波数は伸長され、高い周波数は圧縮される。図７に示されるような群遅延は、高帯域幅の構成の場合、高い周波数で小さく、一方、低周波領域は、もっと長い群遅延にさらされる。それぞれのブロックにおける最後の入力サンプルから残った状態に基づくコンプレッサシステムの場合、高い周波数での群遅延は、１．５ｍｓ以下のブロックレートよりもかなり小さいことがわかる。
【０１８２】
言い換えると、ワープ処理された遅延線に基づく音インパルス検出器は、インパルスを含むブロックの高周波数部分を潜在的に低く見積もってしまうリスクがある。高帯域幅のプラットフォームでは、通常の帯域幅のプラットフォームとは、聴力器具の出力パワーの制限のために構成された最大パワー出力（ＭＰＯ）ブロックの実装がわずかに異なっている。ＭＰＯは、静的なゲイン動作における突然の変化を避けるためにアップデートされる。広帯域幅ＭＰＯは、部分的に、２つのサンプルの合間に、静的なゲイン変化を適用し、完全なゲイン変化は、１つのサンプルブロック内で適用される。存在するＭＰＯの先頭で行われるインパルスゲインの低下は、直接的な音経路におけるゲインのアップデートによる遅延に対処するために、さらに変化を伴う。
【０１８３】
インパルスを軽減することができるように、音インパルス検出器が、ダイナミック補聴器コンプレッサに付加される。
【０１８４】
音インパルス検出器、ゲイン調節、ダイナミック補聴器コンプレッサを組み合わせた信号処理スキームを図８に示す。
【０１８５】
サブモジュールの実行順序と、図６に示される実行順序とを比較すると、直接的な経路処理の前に、ゲインコントローラとフィルタ設計が実行されることが示されている。ワープパワーは、依然として従前のブロックに基づき、全てのゲインエージェントは、以前と同じデータを依然として処理しており、すなわち、ダイナミック補聴器コンプレッサは変更されない。ゲインコントローラの前に、新規なゲイン計算ブロックが付加されており、周波数応答の迅速な変更を行うことができる。音インパルス検出器およびゲイン計算のブロックを使用することができない場合、図示されている処理スキームは、図６に示される処理スキーム（すなわち、公知のダイナミック補聴器コンプレッサの処理スキーム）と同じであろう。
【０１８６】
周波数領域で音インパルスを検出することは、第２の周波数領域変換を利用して行われる。複雑さ、問題解決、柔軟性に対処するため、式（１）の線形ＤＦＴを、音インパルス検出器の出発点とする。
【０１８７】
【数１】
2018137734.tif 000004
【０１８８】
好ましくは、音インパルス検出器は、未処理の入力ブロックに対して働くべきである。このことは、図８に示されており、ここで、（２）は、オーディオサンプルの新しく到達した入力ブロックに続く、周波数領域変換を示す。特に、インパルスパターンを探す場合には、時間経過に伴って、どのようにパワーが上昇するかに関心がある。式（２）は、現在のブロックの周波数領域のパワー推定値Ｐ［ｎ］を示す。
【０１８９】
【数２】
2018137734.tif 000005
【０１９０】
インパルス的な性質を示すサンプルの入力ブロックは、立ち上がり時間がほぼ一瞬であるはずである。これに加え、インパルス的な特徴は、多くの帯域に広がったパワー分布をもたらす。帯域あたりのパワーの推定値の平滑化された態様Ｐ〜［ｎ］を、瞬間に立ち上がる特徴の抽出に使用する。バックグラウンドのパワーの短い履歴に対し、インパルスの瞬間的な立ち上がり時間を調べるために、式（３）のパラメータαは、十分に小さいものが選択されるべきである。
【０１９１】
【数３】
2018137734.tif 000006
【０１９２】
繰り返されるインパルスの間の最適化された性能のために、平滑化されたパワー推定値は、検出されたインパルスの間はアップデートされるべきではない。これに加え、インパルスを効果的に追跡する能力は、インパルスの周波数領域のパワーと、インパルスが発生する直前のエネルギーとを比較することができるかに依存する。現在のパワー推定値を、式（４）のような平滑化された態様を用いて除算することは、新しいサンプルブロックによって、異なる帯域でどれほど多くのパワーが上昇したかの指標として使用することができる。
【０１９３】
【数４】
2018137734.tif 000007
【０１９４】
実装の複雑さに対処するために、立ち上がりの指標ｒ（ｎ）は、有利には、ｌｏｇ２領域で実施される。ｌｏｇ２の精度は、十分に正確であることがわかっており、音インパルス検出器の残りの部分は、対数領域の式（５）で実装される決定および閾値を有することによって改善することができる。
【０１９５】
【数５】
2018137734.tif 000008
【０１９６】
ウィンドウサイズに起因して、パワー推定値は、最も低い帯域では不良であることが議論されるだろう。単純さのため、および既存の聴力器具のプラットフォームに合わせるために、帯域Ｌの数は、式（６）として定義される。
【０１９７】
【数６】
2018137734.tif 000009
【０１９８】
ここで、Ｎは、ＤＦＴの大きさであり、したがって、重複のない実装においては、処理するブロックの大きさに等しい。ここで、ｌｏｇ２領域においてＬ帯の立ち上がりの指標を構成するベクトルｒｔは、以下のように構築することができる。
【０１９９】
【数７】
2018137734.tif 000010
【０２００】
ここで、ｔはブロックレートであり、高い帯域幅の聴力器具のプラットフォームについて、以下である。
【０２０１】
【数８】
2018137734.tif 000011
【０２０２】
実際に、式（８）のブロックレートも、音インパルス検出器が観測することができるインパルス立ち上がり時間の下限に設定する。この下限は、図８のスキームと混同すべきではないことを心に留めておくべきであり、検出点からの遅延なく、すぐにゲイン低下を適用することができる。音インパルス検出器の主な関心のある点は、ドアを閉める音、刃物類などのインパルス音と、インパルス的な特徴が確認され得る、発声の一部である発話の開始とを、常に区別するかどうかである。この問題に対処する１つの方法は、ベクトルｒｔについて動作し得る閾値を含むことであろう。ここで、式（９）は、このパワー推定においてどれほど多くの帯域が、この閾値を超えるかの指標を定義する。
【０２０３】
【数９】
2018137734.tif 000012
【０２０４】
式（９）の閾値は、ｌｏｇ２領域で定義されるだろう。聴力器具ユーザを本質的にイライラさせるインパルスノイズは、典型的には、多数の周波数帯にわたる広範囲のパワースペクトルを有するが、これは、発話の場合ではない。瞬間的な立ち上がり時間Ｒｔを有するパワー帯域の合計を、例えば、１０より大きいと定義することは、音インパルス検出器において、発話からインパルスノイズを区別するのに役立つ。この点で、インパルス検出の真／偽のパラメータを利用することができる。
【０２０５】
最終的な広帯域パワー閾値も、特定の音圧レベルを超えるインパルス的なブロックのみが確実に検出されるために適用される。この閾値は、音インパルス検出器の感度を設定するために適用される。ドアを閉める音のような強いインパルスのみにイライラするエンドユーザの場合、この閾値は、コンピュータキーボードを叩く音、皿がぶつかる音などのように定義される、もっと弱いインパルスに悩まされるユーザと比較して大きくすることができる。例えば、爆竹は、１８０ｄＢＳＰＬの高いレベルに達するだろう。
【０２０６】
音インパルス検出器の広帯域パワー閾値は、通常、上記の表１に示されるような下限を有する。
【０２０７】
発話の発生と、標的とするインパルス音との相違を知ることについて、さらなる頑健性を適用するために、この閾値は、通常の発話発生領域の先頭で動作するのに十分な高い値に設定されなければならない。以下のアルゴリズム１の疑似コードは、音インパルス検出器のインパルス検出をまとめたものである。
【０２０８】
【数１０】
2018137734.tif 000013
【０２０９】
検出アルゴリズムの出力パラメータはｄｅｔｅｃｔであり、ゼロから１の値を保持する（０≦ｄｅｔｅｃｔ≦１）。インパルスが、インパルス的な特徴がもはや調べられない状態まで減衰した後に、あるいは広帯域パワー閾値を満たさなくなった後に、ゼロに達するのを検出するために、対数リリース時間が適用される。パラメータαdetectがリリース時間を特定するために使用される一方、ｄｅｔｅｃｔのアタック時間は即時である。
【０２１０】
従来のＦＩＲフィルタにおける単位遅延を、オールパスフィルタセクションと置き換えることによって、周波数ワープ処理されたＦＩＲフィルタを設計することができる。それは、圧縮システムの周波数分解能を、人間の聴覚系の分解能に合わせるのに役立つ。さらに、ワープ処理されたフィルタは、同じように低い周波数分解能についての従来のフィルタよりも、低い周波数では高い群遅延を有する。上述のように、高周波数での短い遅延は、音インパルス検出器にとって問題であり、例えば、サンプリングによって間違った検出を導く場合がある。これに加え、ワープ処理された遅延線に基づく、ＤＦＴの周波数分解能は、同様に、検出スキームの性能を制限する場合がある。ワープ処理コンプレッサシステム、またはもっと重要なパワー推定部は、式（１０）におけるオールパス伝達関数を利用する、ワープ処理された遅延線に基づく。
【０２１１】
【数１１】
2018137734.tif 000014
【０２１２】
ここで、ａは、ワープ処理パラメータである。ワープウィンドウと組み合わせ、これにより、図９に示される１７の帯域が生じる。ワープ処理された周波数スケールは、線形システムと比較して、かなりより良い聴覚感知に適合する。しかし、自身の発話および周囲の発話を含め、日々の音環境からインパルスノイズを検出し、区別するのに役立つが、ワープ処理に基づくＤＦＴは、良くない性能をもたらす。インパルス的な入力ブロックを検出するための特徴として、瞬間的なパワーの立ち上がりを含む多くの周波数ビンを使用するために、一番高いビンにおいて、かなり良好な分解能が必要である。これに加え、ワープウィンドウは、フィルタ設計者によって、極端なゲインの相違を避けるために、隣接するビンを不鮮明にするように構築される。音インパルス検出器は、テューキーウィンドウを含む３２点の線形ＦＦＴを利用する。図１０は、１７帯域の周波数分解能を示す。この構成は、発話のような信号にとっての望ましいものではないだろう。別の選択は、正のワープ処理因子を有するワープ処理された遅延線を使用することであってもよい。このことは、さらに、最も高いビンの分解能を高め、発話が優位ではない領域において、瞬間的なパワー上昇にもっと集中した検出を導く。平行なワープ処理遅延線に基づく検出スキームの主な欠点は、単位遅延を一次のオールパスフィルタと置き換える計算上のコストである。
【０２１３】
ＤＦＴは黙示的に、信号が時間枠の中で周期的であることを前提とする。入力ブロックが周期的ではないとき、漏れが起こる。漏れは、スペクトルの振幅および周波数に関する間違った情報を与える。音インパルス検出器の場合、悪い影響は、隣接するビンへの漏れであり、間違った検出を引き起こす場合がある。音インパルス検出器は、音パワーの急激な増加をもたらす帯域の同定に依存し、スペクトルの漏れは、間違った検出のリスクに寄与する。ＤＦＴウィンドウは、漏れの影響を減らすように適用することができる。
【０２１４】
【数１２】
2018137734.tif 000015
【０２１５】
ゲイン計算ブロックは、インパルスを軽減するために、コンプレッサの広帯域のゲイン（例えば、全ての周波数帯におけるゲイン、複数の周波数帯におけるゲイン、例えば、半分以上の周波数帯におけるゲイン）を下げてもよい。
【０２１６】
ゲイン計算ブロックは、インパルス検出に応答して、ドアを閉める、銀食器がぶつかる、または鍵同士が当たるなどの信号の本来の大きさを復元してもよい。これらはすべて、日々の音環境の一部である音の例であるが、多くの場合には、聴力器具のユーザの鼓膜では、不自然で痛みを伴う表現が作られるだろう。エンドユーザに注目し、何が不快感を引き起こすのかに注目し、ゲイン計算ブロックは、短い持続時間のインパルス的な信号の過剰な増幅に対処することができなければならない。もっともありそうなのは、不自然に復元されたセグメントは、所定のゲインの線形部分によって引き起こされ、すなわち、Ｇ５０ゲインが、高エネルギーのインパルス信号に適用される。言い換えると、何が不快感を引き起こすのかは、エンドユーザに依存し、最もありそうなのは、Ｇ５０ゲインによって説明される。このことは、ワープ処理システムの挙動に合わせるために、音インパルス抑制部が、１７の周波数帯で独立的にゲインを制御する必要があることを意味する。
【０２１７】
音インパルス抑制部は、インパルスを、依然として音響環境を表現した快適なレベルまで軽減するように構成される。アルゴリズムのランタイム部分に重大な複雑さを加えない非常に単純な手法は、ゲインルックアップテーブルを利用してもよい。ルックアップテーブルは、１７のワープ処理された帯域に必要なゲインを用い、インパルスセクションの広帯域パワーを低下ベクトルに対してマッピングする。聴力閾値に基づき、所定のゲインに達するように、所与のフィッティングルールが使用される。２つのパワー帯域の構成において、所定のゲインは、標的となるＧ５０ゲインおよびＧ８０ゲインによって実装される。広帯域パワー閾値ベクトルＢを出発点として定義する。
【０２１８】
【数１３】
2018137734.tif 000016
【０２１９】
ここで、Ｐは、パワーテーブルの大きさであり、すなわち、達成することができるステップの分解能である。音インパルス抑制部が、その範囲内で働くべきである、パワーのスパン、またはＳＰＬ領域は、以下に定義される。
【０２２０】
【数１４】
2018137734.tif 000017
【０２２１】
標的となるゲインは、最小の低下と最大の低下のパラメータによって、この領域に線形にマッピングされる。ｄＢにおける最小の低下は、Ｂベクトルの下限での低下を規定し、最大の低下は、ベクトルの先頭での低下を規定する。例えば、音インパルス抑制部が所与のＳＰＬを補正することになる、標的となるゲインＧ５０がどれほど多いかを規定する。このベクトルを正規化するために、広帯域パワーレベル閾値ΔＢの相対的な分布を使用する。
【０２２２】
【数１５】
2018137734.tif 000018
【０２２３】
正規化されたベクトルＢ＾を使用し、最小の低下および最大の低下によって定義された二次元空間から、Ｂベクトルの次元へと線形補間することができる。この結果は、広帯域パワーレベルあたりの、ｄＢでのゲイン低下比率を有するベクトルである。これらの低下数は、Ｇ５０の標的となるゲインに対するものであり、最終的に、音インパルス抑制部のゲインは、Ｐ行１７列の行列Ｇとして定義される。最小の低下が６ｄＢであると設定される場合、音インパルス抑制部は、最も小さな広帯域パワーを有するインパルス中の低下において、標的となるゲインの半分を適用するだろう。次いで、これは、例えば、０ｄＢまでの最大低下設定まで線形的に上げていき、音インパルス抑制部は、標的となるゲインと等しいゲインを低下させ、すなわち、ＡＧＣＩ（自動利得制御入力）ゲインを完全に補償するだろう。図１１は、標的Ｇ５０ゲインがどのように音インパルス抑制部のゲイン低下にマッピングされるかを示す。この例は、以下のものに設定される広帯域パワー閾値ベクトルＢを有している。
【０２２４】
【数１６】
2018137734.tif 000019
【０２２５】
また、使用した標的Ｇ５０ゲインは、以下のものであった。
【０２２６】
【数１７】
2018137734.tif 000020
【０２２７】
最小の低下を６ｄＢに設定し、最大の低下を０ｄＢに設定すると、インパルス広帯域パワーが８６ｄＢ  ＳＰＬであり、１１０ｄＢ  ＳＰＬの完全な補償まで、どのようにしてゲイン低下がＧ５０標的ゲインの半分から徐々に増えてくるかがわかる。最大の広帯域パワーがＢベクトルに到達すると、音インパルス抑制部のゲイン低下は、このレベルに止められる。これに加えて、検出部分に使用される広帯域パワー閾値は、Ｂベクトルの第１のエントリーと同じ値であるべきである。これは、アクティブな動作領域に対し、音インパルス検出器およびゲイン計算ブロックを整列させる。
【０２２８】
聴力閾値のフィッティングの広い表現に対する聞き取りの快適さを確保しようとする試みにおいて、音インパルス検出器の感度を調節する能力が必要である。ユーザは、特別な要求とイライラするレベルを表現する場合があり、例えば、ある聴覚障害者は、コンピュータのキーボードを叩く音、紙のカサカサいう音のような、あまり強くないインパルス様の音でさえ、不快さを感じる場合がある。初めての聴力器具ユーザのための順応に対処するために、異なる感度も必要とされる場合がある。単純な軽度、中程度、重度の手法が好ましい。このことは、インパルス中の広帯域パワーレベルに異なって対処することによって、すなわち、モードごとにベクトルＢを定義することによって、達成することができる。音インパルス検出器のモードをどのように構成するかの例が、広帯域パワー閾値ｄＢ  ＳＰＬと共に並べられ、音インパルス検出器のモード（軽度、中程度、強度）を列挙する表２に示されている。
【０２２９】
【表２】
2018137734.tif 000021
【０２３０】
モードごとに設定されるＢベクトルと組み合わせて、最大の低下および最小の低下も含まれていてもよい。これにより、音インパルス検出器および音インパルス抑制部は、ゲインを減らすレベル、および実際にどれくらいゲインを低下させるかのレベルによってモードを定義することが可能になる。
【０２３１】
インパルス音の間でゲインを下げることによって、不快さに対処する場合、音インパルス抑制部は、達成可能な最も小さいアタック時間を適用する。図８の再配置されたワープ処理システムで既に見られるように、これは可能である。広帯域パワーは、インパルス中に変動すると予想され、その影響として、適用されるゲインの低下が、引き起こされたゆがみを変動させるだろう。この潜在的な課題は、表２のモードのもっと極端な設定を用いると、例えば、モードが大きな音圧レベルの領域に広がる場合に、増加する。音インパルス抑制部のゲインの変動に対処する様式は、インパルス発生検出パラメータを適用することであってもよい。図１２Ａにおいて、このことが示されている。インパルス発生の検出は、従前のブロックがインパルスシーケンスの一部として検出されず、インパルスがこのブロックで検出された時点であると定義される。
【０２３２】
これは、以下のものとして記載される。
【０２３３】
【数１８】
2018137734.tif 000022
【０２３４】
ここで、アルゴリズムは、インパルスの発生（оｎｓｅｔ）と、全ての他の条件がまだ有効である（すなわち、インパルスの中間部分の）インパルスの一部とを区別することができる。どのようにしてゲイン低下を適用するかの戦略は、インパルスの発生が検出されるブロックの前にあるブロックにおいて、ゲインの対称的な平滑化を使用することである。この開始ブロックは、現在の広帯域パワーに従って、ゲインの出発点を決定するだろう。
【０２３５】
短いインパルス様の信号は、ある状況では、聴力障害によって経験する空間認識の一部である。この観点で、部屋の反響が、部屋の特徴および大きさについての知覚認識を与える。最適には、ゲイン低下リリース時間は、音響環境に従って、例えば、部屋、ホールなどの反響時間に関連して、設定されなければならない。リリース時間は、通常のＡＧＣＩアタック時間と組み合わせて、初期の反射がまだ抑制されており、後の反射が通常の大きさで感知されるように設定されるべきである。発話の明瞭さのために、通常の聴覚を有する人間および聴覚障害者の両方で、初期の反射は非常に重要であり、一方、後の反射は、ノイズの中で発話を理解する能力を悪化させることが多い。インパルス信号について、後の反射が部屋の特徴の感知に加わるという観点で、このことは反対である。聴力器具のユーザのために、初期の反射は、ある周波数では依然として高エネルギーを含んでいてもよいが、（ＡＧＣＩリリース時間が、初期の反射の到達と比較して長いことを考慮すると）依然として、過剰に増幅され、不快さを付け加えるだろう。
【０２３６】
音インパルス抑制部は、広帯域ゲインリリース時間を有していてもよい。すなわち、全ての帯域が同じ時定数に適用され、このパラメータが、ランタイム中にいかなる様式にも適用されない。リリース時間中に、音インパルス抑制部によって与えられるゲイン低下は１０倍になるだろう。このことは、インパルスの衝撃を能動的に減らす音インパルス抑制部と、入力に関連するゲインのとり扱いの通常のＡＧＣＩ制御を回復することとの間の移行を円滑にするのに役立つ。ゲイン低下のリリースは、検出パラメータの閾値に基づく（図１２Ａ）。このパラメータは、インパルスが、完了したと定義することができる点まで、いつ強度を低下させたのかの決定に使用することができる。この時点で、ゲインリリースが起こり、図１２Ａおよび１２Ｂは、検出閾値の使用を示す。
【０２３７】
上記では、インパルス的な入力を検出し、インパルス的な入力と反応する様式について説明した。インパルス的な発生および特定の長さを有する入力信号は、アルゴリズムの検出状態を固定する能力を有し得ることが明らかである。インパルスの持続時間および最大インパルス持続時間の定義の指標が必要である。本質的にインパルス開始条件を利用するが、持続時間がかなり長い信号を渡すために、音インパルス抑制部は、フェードアウトし、通常のワープ処理コンプレッサシステムにゲインの取り扱いをさせるように構成される。ある信号が、インパルス的な発生を有し、その後、多くの帯域でエネルギーを含む長いシーケンスが続く場合、パワー推定値は、意図的に音インパルス検出器によって固定されるだろう。その結果、これらの種類の音が、必要とされるより長い時間、ゲイン計算ブロックによって弱められ、すなわち、時間経過に伴ってゲインを下げる通常のワープ処理コンプレッサシステムと重なりあうだろう。例えば、芝刈り機の開始は、典型的には、非常に静かな状態から進み、短いインパルス的な部分があり、次いで、より長い時間、多くの帯域において騒がしいままである。音インパルス抑制部が処理すべきインパルスの最大持続時間の定義と、測定及びフェードアウトの方法が必要である。インパルスの持続時間と関連して音インパルス検出器部分を制御する非常に円滑な様式は、式（３）においてパラメータを適応的に制御することである。現在の検出推定値が時間通りであるという情報に基づき、周波数帯のパワー推定値平滑化のアップデート速度を制御することができる。図１３のフローチャートは、検出器のパワー推定器部分をどのようにして制御し、アップデートするかを示す。定義される最大持続数に基づき、パラメータαに基づいて平滑化速度を決定することができる。ゼロに向かうα値は、単純に、周波数帯域のパワー推定値の平滑化を止めるだろう。これは、インパルスの発生後のシーケンスの好ましい設定である（すなわち、アップデートを止める）。インパルスが検出されない通常の動作では、帯域あたりのエネルギーの履歴に対する検出の決定に基づくために、もっと高いαの値が必要である。インパルスの最大持続時間に達したら、急激なパワーアップデートが必要である。αパラメータを小さくし、急激なアップデート速度の結果、パワー推定値が、例えば、芝刈り機によって現在経験しているレベルまで迅速に適用されるだろう。現在の推定値と平滑化された推定値との相違は、もはや、瞬間的な立ち上がりを利用せず、検出スキームは、リリースモードに従い、ゆっくりとしたアップデート速度で通常のα値を再度適用することができる。検出値に基づいてαパラメータを変えるシーケンスは、図１４Ａおよび１４Ｂに示される。
【０２３８】
第１聴力器具および第２聴力器具のそれぞれの音インパルス検出器は、バイノーラル音環境検出器によって決定される音環境分類に従って調整可能であってもよい。図１５は、ｘ軸に沿って種々の音環境分類について、ｙ軸に沿ってｄＢでのインパルス勾配閾値の例示的なプロットを示す。
【０２３９】
この時点で、音インパルス抑制部によって適用される軽減の差は、純粋に、広帯域のパワーに基づく。定められたゲインに基づくゲインベクトルは、オンラインで計算され、推定された広帯域パワーに従って適用される。このスキームは、Ｇ５０ニーポイントに近い状況に有利なようであり、適用されるゲインが、現在の音圧レベルに向かって調整される段階に達するために、別のニーポイントを含むことが有利であろう。解決策の１つは、環境の音圧レベルに関する情報を含む、いくつかの拡張する分類部の分類を利用することであろう。以下の表３は、それぞれの分類部の出力分類に関連する音圧レベルを列挙する。この表によれば、別のゲインテーブルを加え、約７５ｄＢＳＰＬでのニーポイントについて計算されたゲインテーブルに基づくことが理解される。ここで、音インパルス抑制部が、現在の推定された音環境を考慮に入れることを達成するために、この分類部の環境を使用し、ゲイン低下テーブルを調整することができる。例えば、所定のゲインが線形領域にある静かな環境は、ゲインが圧縮領域で動作する、もっと大きなゲイン低下および高いノイズ環境でマッピングされ、音インパルス抑制部からのゲイン低下がほとんどないはずである。
【０２４０】
【表３】
2018137734.tif 000023
【０２４１】
図１６に示される信号処理スキームを用いる本発明の別の実施形態によれば、例えば、ワープ処理された遅延線およびワープ処理されたパワー推定値が存在しない聴力保護デバイスは、もっと単純な音インパルス検出器および音インパルス抑制部を利用することができる。これに加え、ゲイン低下が難聴または所定のゲインと関係があるものではないアプリケーションでは、音インパルス検出器のインパルス検出ブロックは、音インパルス抑制部のゲイン計算ユニットではなく、ゲイン制御ユニットを与えてもよい。ゲイン制御ユニットは、他のゲインエージェントおよびインパルス検出ブロックからの入力を与えられたゲインコントローラのいくつかのパラメータを制御する。
【０２４２】
特定の特徴を示し、記載してきたが、これらの特徴は、特許請求の範囲に記載された発明を限定することを意図していないことが理解され、特許請求の範囲に記載された発明の精神および範囲から逸脱することなく種々の変更および改変が行われてもよいことが当業者には明らかであろう。したがって、明細書および図面は、限定するという観点ではなく、実例であると考えるべきである。特許請求の範囲に記載された発明は、代替例、改変および均等物を包含することを意図している。
以下の項目は、本出願時の特許請求の範囲に記載の要素である。
（項目１）
バイノーラル聴力器具システムであって、
第１聴力器具と第２聴力器具とを備えるバイノーラル聴力器具であって、前記第１聴力器具および前記第２聴力器具のそれぞれが、
少なくとも１つのマイクロフォンであって、音環境の中の前記少なくとも１つのマイクロフォンで受信した音に応答してオーディオ信号を与えるための少なくとも１つのマイクロフォンと、
処理済オーディオ信号を生成するために、あらかじめ決められた信号処理アルゴリズムに従って前記オーディオ信号を処理するように構成される信号プロセッサと、
前記オーディオ信号中のインパルスの存在を検出し、いつインパルスが検出されたかを示すインパルス検出信号を出力するように構成される音インパルス検出器と、
前記処理済オーディオ信号を、前記バイノーラル聴力器具システムのユーザの鼓膜に向けて発する出力音信号に変換するために、前記信号プロセッサの出力に接続されるレシーバと、を備える、バイノーラル聴力器具と、
前記第１聴力器具の前記音インパルス検出器の前記インパルス検出信号と、前記第２聴力器具の前記音インパルス検出器の前記インパルス検出信号とに基づき、前記バイノーラル聴力器具システムの前記ユーザの周囲のインパルス環境の存在をバイノーラルで決定するためのバイノーラルインパルス環境検出器と、を備える、バイノーラル聴力器具システム。
（項目２）
前記バイノーラルインパルス環境検出器は、前記バイノーラル聴力器具システムの前記第１聴力器具および前記第２聴力器具が、前記オーディオ信号の連携した処理を行うように、前記第１聴力器具および前記第２聴力器具のそれぞれの前記信号プロセッサの信号処理アルゴリズムを選択するために、前記第１聴力器具および前記第２聴力器具それぞれについて出力を与えるように構成されている、項目１に記載のバイノーラル聴力器具システム。
（項目３）
前記バイノーラル聴力器具システムの前記第１聴力器具および前記第２聴力器具が連携した音処理を行うように、前記第１聴力器具および前記第２聴力器具のそれぞれの前記信号プロセッサの前記信号処理アルゴリズムを選択するために前記第１聴力器具および前記第２聴力器具それぞれについて出力を与えるために、前記第１聴力器具からの少なくとも１つの信号と前記第２聴力器具からの少なくとも１つの信号とに基づき、前記バイノーラル聴力器具システムの前記ユーザの周囲の音環境をバイノーラルで決定するためのバイノーラル音環境検出器を備えている、項目２に記載のバイノーラル聴力器具システム。
（項目４）
前記バイノーラル音環境検出器は、前記バイノーラルインパルス環境検出器を備えている、項目３に記載のバイノーラル聴力器具システム。
（項目５）
前記第１聴力器具および前記第２聴力器具のそれぞれの前記信号プロセッサは、前記第１聴力器具および前記第２聴力器具のそれぞれ１つの前記音インパルス検出器による前記インパルスの検出に応答した信号処理パラメータの調節によって前記インパルスを軽減するように構成された音インパルス抑制部を備えている、項目１〜４のいずれか一項に記載のバイノーラル聴力器具システム。
（項目６）
前記音インパルス抑制部の信号処理パラメータの調節は、ユーザ入力に従って調節可能である、項目５に記載のバイノーラル聴力器具システム。
（項目７）
前記第１聴力器具および前記第２聴力器具のそれぞれの前記音インパルス検出器は、前記オーディオ信号を複数の周波数帯に分割し、周波数に分割されたオーディオ信号に基づき、前記オーディオ信号中のインパルスの存在を検出するように構成されている、項目１〜６のいずれか一項に記載のバイノーラル聴力器具システム。
（項目８）
前記第１聴力器具および前記第２聴力器具のそれぞれの前記音インパルス検出器の信号処理パラメータは、ユーザ入力に従って調節可能である、項目１〜７のいずれか一項に記載のバイノーラル聴力器具システム。
（項目９）
前記第１聴力器具および前記第２聴力器具のそれぞれの前記音インパルス検出器および前記音インパルス抑制部のうちの少なくとも１つは、前記バイノーラル音環境検出器によって決定される音環境分類に従って調節可能である、項目３〜８のいずれか一項に記載のバイノーラル聴力器具システム。
（項目１０）
前記第１聴力器具および前記第２聴力器具はそれぞれ、前記ユーザの難聴を補償する難聴補償済オーディオ信号を生成するために、あらかじめ決められた信号処理アルゴリズムに従って前記オーディオ信号を処理するように構成された難聴処理装置を備える補聴器である、項目１〜９のいずれか一項に記載のバイノーラル聴力器具システム。
（項目１１）
前記第１聴力器具及び前記第２聴力器具のそれぞれの前記難聴処理装置は、ダイナミックレンジの消失を含む難聴を補償するように構成されるダイナミックレンジコンプレッサを備えている、項目１０に記載のバイノーラル聴力器具システム。
（項目１２）
前記第１聴力器具及び前記第２聴力器具のそれぞれの前記音インパルス抑制部は、前記第１聴力器具及び前記第２聴力器具のそれぞれの難聴処理装置のゲイン設定に基づき、ゲイン調節を行うように構成されている、項目１０または１１に記載のバイノーラル聴力器具システム。
（項目１３）
前記第１聴力器具および前記第２聴力器具はそれぞれ、音を抑えるように構成されたパッシブダンプナーをさらに備える聴力保護具である、項目１〜１２のいずれか一項に記載のバイノーラル聴力器具システム。
（項目１４）
バイノーラル信号処理の方法であって、
人間の両耳で音をオーディオ信号に変換する工程と、
それぞれのオーディオ信号に基づき、それぞれのオーディオ信号中のインパルスの存在を検出する工程と、
両オーディオ信号中の検出された前記インパルスの存在に応答して、それぞれのオーディオ信号を処理済オーディオ信号に処理する工程と、
それぞれの前記処理済信号を出力音信号に変換する工程と、
それぞれの出力音信号を人間の両耳の鼓膜に向けて発する工程と、を備える、方法。
（項目１５）
両オーディオ信号中の検出された前記インパルスの存在に応答して、前記処理済オーディオ信号のゲインを下げる工程を備える、項目１４に記載の方法。
【図１】
2018137734.tif 000024
【図２】
2018137734.tif 000025
【図３】
2018137734.tif 000026
【図４】
2018137734.tif 000027
【図５】
2018137734.tif 000028
【図６】
2018137734.tif 000029
【図７】
2018137734.tif 000030
【図８】
2018137734.tif 000031
【図９】
2018137734.tif 000032
【図１０】
2018137734.tif 000033
【図１１】
2018137734.tif 000034
【図１２Ａ】
2018137734.tif 000035
【図１２Ｂ】
2018137734.tif 000036
【図１３】
2018137734.tif 000037
【図１４Ａ】
2018137734.tif 000038
【図１４Ｂ】
2018137734.tif 000039
【図１５】
2018137734.tif 000040
【図１６】
2018137734.tif 000041
【外国語明細書】
2018137734000001.pdf
2018137734000002.pdf
2018137734000003.pdf
2018137734000004.pdf